(57)【特許請求の範囲】
【請求項１】
フッ素化炭化水素の混合物を含有する組成物であって、
前記混合物に含まれるフッ素化炭化水素の組成比が、R32、R125、1234yf及びR134aの濃度の総和を100重量%、R32の濃度をx重量%とするとき、R125、1234yf及びR134aの濃度の総和が（100-x）重量%で示される3成分組成図において、
（1）-3  18.8重量%＞x≧16.8重量%であり、
（2）-3  R125、1234yf及び134aの濃度（R125の濃度（重量%）／1234yfの濃度（重量%）／134aの濃度（重量%））が、
点B(0.1305x2-5.942x+81.197/0.4948x2-23.267x+294.53/100-R32-R125-1234yf)、
点C(0.0785x2-4.1072x+71.965/0.1365x2-7.218x+95.433/100-R32-R125-1234yf)、
点F(0.0105x2-1.6128x+43.512/0.0724x2-4.8312x+65.229/100-R32-R125-1234yf)、及び、
点E(0.1139x2-5.0532x+64.849/0.3892x2-18.658x+233.4/100-R32-R125-1234yf)
を頂点とする四角形の範囲に含まれる組成比を有する混合物３、
（1）-4  22.5重量%＞x≧18.8重量%であり、
（2）-4  R125、1234yf及び134aの濃度（R125の濃度（重量%）／1234yfの濃度（重量%）／134aの濃度（重量%））が、
点B(0.0396x2-2.5301x+49.164/0.1783x2-11.669x+188.29/100-R32-R125-1234yf)、
点C(0.0199x2-1.9819x+52.725/0.0592x2-4.6129x+73.8/100-R32-R125-1234yf)、
点Dは、20.0重量%＞x≧18.8重量%のときは、
点D(100-R32-1234yf-R134a/0/-1.3187x+89.053)
22.5重量%＞x≧20.0重量%のときは、
点D(100-R32-1234yf-R134a/0/-0.0092x2-0.956x+85.484)
点Fは、
19.7重量%＞x≧18.8重量%のときは、
点F(-2x+54.5/0/100-R32-R125-1234yf)
22.5重量%＞x≧19.7重量%のときは、
点F(-1.9698ｘ+53.892/0/100-R32-R125-1234yf)、及び
点E (0.0399x2-2.4292x+41.652/0.1589x2-10.485x+161.15/100-R32-R125-1234yf)
を頂点とする四角形又は五角形の範囲に含まれる組成比を有する混合物４、
（1）-5  24.2重量%＞x≧22.5重量%であり、
（2）-5  R125、1234yf及び134aの濃度（R125の濃度（重量%）／1234yfの濃度（重量%）／134aの濃度（重量%））が、
点B(0.0251x2-1.8786x+41.842/0.1176x2-9.1887x+163.2/100-R32-R125-1234yf)、
点C(0.011x2-2.409x+66.822/0/100-R32-R125-1234yf)、
点F(-1.9412x+53.276/0/100-R32-R125-1234yf)、及び
点E(-0.5882x+20.435/-3.3529x+81.141/100-R32-R125-1234yf)
を頂点とする四角形の範囲に含まれる組成比を有する混合物５、並びに
（1）-6  27.3重量%≧x≧24.2重量%であり、
（2）-6  R125、1234yf及び134aの濃度（R125の濃度（重量%）／1234yfの濃度（重量%）／134aの濃度（重量%））が、
点B(0.0251x2-1.8786x+41.842/0.1176x2-9.1887x+163.2/100-R32-R125-1234yf)、
点C(0.011x2-2.409x+66.822/0/100-R32-R125-1234yf)、及び
点I’は、
25.4重量%＞x≧24.2重量%のときは、
点I’(0.9662x-19.12/0/100-R32-1234yf-R134a)
27.3重量%≧x≧25.4重量%のときは、
点I’(x-20.0/0/100-R32-1234yf-R134a)
を頂点とする三角形の範囲に含まれる組成比を有する混合物６、
からなる群から選択される少なくとも一種を含有する組成物。
【請求項２】
フッ素化炭化水素の混合物を含有する組成物であって、
前記混合物に含まれるフッ素化炭化水素の組成比が、R32、R125、1234yf及びR134aの濃度の総和を100重量%、R32の濃度をx重量%とするとき、R125、1234yf及びR134aの濃度の総和が（100-x）重量%で示される3成分組成図において、
（1）-1  16.6重量%＞x≧12.7重量%であり、
（2）-1  R125、1234yf及び134aの濃度（R125の濃度（重量%）／1234yfの濃度（重量%）／134aの濃度（重量%））が、
点G’は、
14.1重量%＞x≧12.7重量%のときは、
点G’(100-R32-1234yf-R134a/-0.0245x2+0.0147x+38.771/0.0515x2-1.5942x+24.942)、
16.6重量%＞x≧14.1重量%のときは、
点G’(100-R32-1234yf-R134a/-0.55x+41.855/-0.4x+18.34)
点L  (-0.0492x2-1.686x+68.551/0.0446x2-0.308x+31.712/100-R32-R125-1234yf)、及び
点M  (0.008x2-2.2604x+66.615/-0.0137x2-2.9821x+74.989/100-R32-R125-1234yf)
を頂点とする点又は三角形の範囲に含まれる組成比を有する混合物１、
（1）-2  18.6重量%＞x≧16.6重量%であり、
（2）-2  R125、1234yf及び134aの濃度（R125の濃度（重量%）／1234yfの濃度（重量%）／134aの濃度（重量%））が、
点G’は、
18.1重量%＞x≧16.6重量%のときは、
点G’(100-R32-1234yf-R134a/-0.55x+41.855/-0.4x+18.34)、
18.6重量%＞x≧18.1重量%のときは、
点G’(100-R32-1234yf-R134a/-0.4725x+40.108/-0.4725x+19.708)、
点L(-0.1236x2+1.0174x+44.174/0.1557x2-4.1979x+65.676/100-R32-R125-1234yf)、及び
点M(0.1038x2-5.4653x+93.417/0.1482x2-8.2741x+118.21/100-R32-R125-1234yf)
を頂点とする三角形の範囲に含まれる組成比を有する混合物２、
（1）-3  18.7重量%＞x≧18.6重量%であり、
（2）-3  R125、1234yf及び134aの濃度（R125の濃度（重量%）／1234yfの濃度（重量%）／134aの濃度（重量%））が、
点G’(100-R32-1234yf-R134a1/-0.4725x+40.108/-0.4725x+19.708)、
点L  (-0.1236x2+1.0174x+44.174/0.1557x2-4.1979x+65.676/100-R32-R125-1234yf)、
点Y  (-1.9949x2+75.281x-685.87/2.5224x2-95.07x+915.66/100-R32-R125-1234yf)、及び
点R  (0.0523x2-0.5865x+20.487/0.0654x2-0.9831x+11.234/100-R32-R125-1234yf)、
を頂点とする四角形の範囲に含まれる組成比を有する混合物３、
（1）-4  20.8重量%＞x≧18.7重量%であり、
（2）-4  R125、1234yf及び134aの濃度（R125の濃度（重量%）／1234yfの濃度（重量%）／134aの濃度（重量%））が、
点G’、点H’は、
20.0重量%＞x≧18.7重量%のときは、
点G’(100-R32-1234yf-R134a/-0.4725x+40.108/-0.4725x+19.708)、
点H’(0.9505x+1.1112/-0.8956x+59.706/100-R32-1234yf-R134a)
20.8重量%＞x≧20.0重量%のときは、
点G’(100-R32-1234yf-R134a/-0.4626x+40.171/-0.5374x+21.029)、
点H’(0.8071ｘ+5.0693/-0.9232x+60.267/100-R32-1234yf-R134a)、
点L(0.1057x2-5.6028x+87.817/0.2718x2-16.4x+253.22/100-R32-R125-1234yf)、
点Y (-1.9949x2+75.281x-685.87/2.5224x2-95.07x+915.66/100-R32-R125-1234yf)、及び
点Rは、
20.4重量%＞x≧18.7重量%のときは、
点R  (0.0523x2-0.5865x+20.487/0.0654x2-0.9831x+11.234/100-R32-R125-1234yf)、
20.8重量%＞x≧20.4重量%のときは、
点R  (-0.03x2+2.6154x-10.573/-0.0418x2+3.2371x-30.177/100-R32-R125-1234yf)、
を頂点とする五角形の範囲に含まれる組成比を有する混合物４、
（1）-5  23.2重量%≧x≧20.8重量%及び25.6重量%＞x≧25.4重量%であり、
（2）-5  R125、1234yf及び134aの濃度（R125の濃度（重量%）／1234yfの濃度（重量%）／134aの濃度（重量%））が、
点G’、点H’は、
22.6重量%＞x≧20.8重量%のときは、
点G’(100-R32-1234yf-R134a/-0.4626x+40.171/-0.5374x+21.029)、
点H’(0.8071ｘ+5.0693/-0.9232x+60.267/100-R32-1234yf-R134a)、
23.2重量%≧x≧22.6重量%のときは、
点G’(100-R32-1234yf-R134a/-0.5709x+42.607/-0.4291x+18.593)、
点H’(0.7534x+5.102/-0.9291x+60.393/100-R32-1234yf-R134a)、
25.6重量%＞x≧25.4重量%のときは、
点G’(100-R32-1234yf-R134a/-0.4725x+40.108/-0.4725x+19.708)、
点H’(0.7363x+5.496/-0.9505x+60.928/100-R32-1234yf-R134a)、
点Q、点Rは、
21.8重量%＞x≧20.8重量%のときは、
点Q(-0.2929x2+14.203x-151.75/-0.8412x2+36.769x-371.19/100-R32-R125-1234yf)、点R(-0.03x2+2.6154x-10.573/-0.0418x2+3.2371x-30.177/100-R32-R125-1234yf)、
23.2重量%≧x≧21.8重量%及び25.6重量%＞x≧25.4重量%のときは、
点Q(-0.0078x2+2.2066x-25.686/-0.0471x2+3.4143x-21.435/100-R32-R125-1234yf)、
点R(-0.0365x2+2.9381x-14.607/-0.0152x2+1.9858x-15.652/100-R32-R125-1234yf)、
を頂点とする三角形又は四角形の範囲に含まれる組成比を有する混合物５、
（1）-6  27.3重量%≧x≧25.6重量%であり、
（2）-6  R125、1234yf及び134aの濃度（R125の濃度（重量%）／1234yfの濃度（重量%）／134aの濃度（重量%））が、
点G’(100-R32-1234yf-R134a/-0.4725x+40.108/-0.4725x+19.708)、
点Q (7.7059x-171.67/-16.647x+461.26/100-R32-R125-1234yf)、及び
点R(1.1765x+6.5824/-10.824x+302.28/100-R32-R125-1234yf)
を頂点とする点又は三角形の範囲に含まれる組成比を有する混合物６、
からなる群から選択される少なくとも一種を含有する組成物。
【請求項３】
フッ素化炭化水素の混合物を含有する組成物であって、
前記混合物に含まれるフッ素化炭化水素の組成比が、R32、R125、1234yf及びR134aの濃度の総和を100重量%、R32の濃度をx重量%とするとき、R125、1234yf及びR134aの濃度の総和が（100-x）重量%で示される3成分組成図において、
（1）-1  18.1重量%＞x≧16.6重量%であり、
（2）-1  R125、1234yf及び134aの濃度（R125の濃度（重量%）／1234yfの濃度（重量%）／134aの濃度（重量%））が、
点T  (-0.0107x2+0.5345x+25.331/-0.006x2+0.02x+23.019/100-R32-R125-1234yf)、
点M  (0.1038x2-5.4653x+93.417/0.1482x2-8.2741x+118.21/100-R32-R125-1234yf)、及び
点V  (-0.38x2+7.0542x+18.925/0.7958x2-14.947x+50.53/100-R32-R125-1234yf)
を頂点とする点又は三角形に含まれる組成比を有する混合物１、
（1）-2  18.6重量%＞x≧18.1重量%であり、
（2）-2  R125、1234yf及び134aの濃度（R125の濃度（重量%）／1234yfの濃度（重量%）／134aの濃度（重量%））が、
点S  (0.0678x2-2.1697x+39.158/-0.0223x2-0.0437x+50.421/100-R32-R125-1234yf)、
点T  (-0.006x2+0.417x+25.928/0.0167x2-0.8974x+32.141/100-R32-R125-1234yf)、
点M  (0.1038x2-5.4653x+93.417/0.1482x2-8.2741x+118.21/100-R32-R125-1234yf)、及び
点L  (-0.1236x2+1.0174x+44.174/0.1557x2-4.1979x+65.676/100-R32-R125-1234yf)
を頂点とする三角形又は四角形の範囲に含まれる組成比を有する混合物２、
（1）-3  18.7重量%＞x≧18.6重量%であり、
（2）-3  R125、1234yf及び134aの濃度（R125の濃度（重量%）／1234yfの濃度（重量%）／134aの濃度（重量%））が、
点S(0.0678x2-2.1697x+39.158/-0.0223x2-0.0437x+50.421/100-R32-R125-1234yf)、
点T(-0.006x2+0.417x+25.928/0.0167x2-0.8974x+32.141/100-R32-R125-1234yf)、
点R(0.0523x2-0.5865x+20.487/0.0654x2-0.9831x+11.234/100-R32-R125-1234yf)、
点Y(-1.9949x2+75.281x-685.87/2.5224x2-95.07x+915.66/100-R32-R125-1234yf)、及び、
点L(-0.1236x2+1.0174x+44.174/0.1557x2-4.1979x+65.676/100-R32-R125-1234yf)
を頂点とする四角形又は五角形の範囲に含まれる組成比を有する混合物３、
（1）-4  20.8重量%＞x≧18.7重量%であり、
（2）-4  R125、1234yf及び134aの濃度（R125の濃度（重量%）／1234yfの濃度（重量%）／134aの濃度（重量%））が、
点S(0.0678x2-2.1697x+39.158/-0.0223x2-0.0437x+50.421/100-R32-R125-1234yf)、
点T(-0.006x2+0.417x+25.928/0.0167x2-0.8974x+32.141/100-R32-R125-1234yf)、 
点Rは、
20.4重量%＞x≧18.7重量%のときは、
点R(0.0523x2-0.5865x+20.487/0.0654x2-0.9831x+11.234/100-R32-R125-1234yf)、20.8重量%＞x≧20.4重量%のときは、
点R(-0.0835x2+4.8254x-33.399/-0.1022x2+5.7453x-56.277/100-R32-R125-1234yf)
点Y(-1.9949x2+75.281x-685.87/2.5224x2-95.07x+915.66/100-R32-R125-1234yf)
点L (0.1057x2-5.6028x+87.817/0.2718x2-16.4x+253.22/100-R32-R125-1234yf)、及び
点H’は、
20.0重量%＞x≧18.7重量%のときは、
点H’(0.9505x+1.1112/-0.8956x+59.706/100-R32-1234yf-R134a)、
20.8重量%＞x≧20.0重量%のときは、
点H’(0.8071ｘ+5.0693/-0.9232x+60.267/100-R32-1234yf-R134a)、
を頂点とする五角形又は六角形の範囲に含まれる組成比を有する混合物４、
（1）-5  21.8重量%＞x≧20.8重量%であり、
（2）-5  R125、1234yf及び134aの濃度（R125の濃度（重量%）／1234yfの濃度（重量%）／134aの濃度（重量%））が、
点S(0.0366x2-1.4284x+37.268/-0.0225x2+0.3598x+41.166/100-R32-R125-1234yf)、
点T(0.0629x2-2.606x+58.972/0.045x2-2.2196x+47.368/100-R32-R125-1234yf)、
点R(-0.0835x2+4.8254x-33.399/-0.1022x2+5.7453x-56.277/100-R32-R125-1234yf)、
点Q(-0.2929x2+14.203x-151.75/-0.8412x2+36.769x-371.19/100-R32-R125-1234yf)、及び
点H’(0.8071ｘ+5.0693/-0.9232x+60.267/100-R32-1234yf-R134a)、
を頂点とする五角形の範囲に含まれる組成比を有する混合物５、並びに
（1）-6  23.2重量%＞x≧21.8重量%であり、
（2）-6  R125、1234yf及び134aの濃度（R125の濃度（重量%）／1234yfの濃度（重量%）／134aの濃度（重量%））が、
点S(0.0366x2-1.4284x+37.268-0.0225x2+0.3598x+41.166100-R32-R125-1234yf)、
点α(-0.0609x2+0.9855x+39.5570.1273x2-1.9795x+3.0676100-R32-R125-1234yf)、及び
点Q(-0.0078x2+2.2066x-25.686-0.0471x2+3.4143x-21.435100-R32-R125-1234yf)、
点H’は、
22.6重量%＞x≧21.8重量%のときは、
点H’(0.8071ｘ+5.0693/-0.9232x+60.267/100-R32-1234yf-R134a)
23.2重量%＞x≧22.6重量%のときは、
点H’(0.7534x+5.102/-0.9291x+60.393/100-R32-1234yf-R134a)
を頂点とする三角形又は四角形の範囲に含まれる組成比を有する混合物６、
からなる群から選択される少なくとも一種を含有する組成物。
【請求項４】
フッ素化炭化水素の混合物を含有する組成物であって、前記混合物が、HCFC-1122、HCFC-124、CFC-1113及び3,3,3-トリフルオロプロピンからなる群より選択される少なくとも1種のフッ素化炭化水素、R32、R125、R134a及び1234yfを含有する、請求項１〜３のいずれかに記載の組成物。
【請求項５】
フッ素化炭化水素の混合物を含有する組成物であって、前記混合物が、式（１）：CmHnXp[式中、Xはそれぞれ独立してフッ素原子、塩素原子又は臭素原子を表し、mは1又は2であり、2m+2≧n+pであり、p≧1である。]で表される少なくとも1種のハロゲン化有機化合物、R32、R125、R134a及び1234yfを含有する、請求項１〜３のいずれかに記載の組成物。
【請求項６】
フッ素化炭化水素の混合物を含有する組成物であって、前記混合物が、式（２）：CmHnXp[式中、Xはそれぞれ独立してハロゲン原子ではない原子を表し、mは1又は2であり、2m+2≧n+pであり、p≧1である。]で表される少なくとも1種の有機化合物、R32、R125、R134a及び1234yfを含有する、請求項１〜３のいずれかに記載の組成物。
【請求項７】
フッ素化炭化水素の混合物を含有する組成物であって、前記混合物が、R32、R125、R134a、1234yf及び水を含む、請求項１〜３のいずれかに記載の組成物。
【請求項８】
冷凍機油を含有する、請求項１〜７のいずれかに記載の組成物。
【請求項９】
前記冷凍機油が、ポリアルキレングリコール（PAG）、ポリオールエステル（POE）及びポリビニルエーテル（PVE）からなる群より選択される少なくとも1種のポリマーを含有する、請求項８に記載の組成物。
【請求項１０】
混合冷媒であるR404A（R125/R134a/R143a=44/4/52重量%）の代替冷媒である、請求項２〜９のいずれかに記載の組成物。
【請求項１１】
HCFC冷媒であるR22の代替冷媒である、請求項１及び４〜９のいずれかに記載の組成物。
【請求項１２】
トレーサー、相溶化剤、紫外線蛍光染料、安定剤及び重合禁止剤からなる群より選択される少なくとも1種の物質を含む、請求項１〜１１のいずれかに記載の組成物。
【請求項１３】
前記組成物が、前記フッ素化炭化水素の混合物のみからなる、請求項１〜１２のいずれかに記載の組成物。
【請求項１４】
請求項１〜１３のいずれかに記載の組成物を用いて冷凍サイクルを運転する工程を含む、冷凍方法。
【請求項１５】
請求項１〜１３のいずれかに記載の組成物を用いて冷凍サイクルを運転する、冷凍機の運転方法。
【請求項１６】
請求項１〜１３のいずれかに記載の組成物を含む冷凍機。
【請求項１７】
冷蔵庫、冷凍庫、冷水機、製氷機、冷蔵ショーケース、冷凍ショーケース、冷凍冷蔵ユニット、冷凍冷蔵倉庫用冷凍機、チラー（チリングユニット）、ターボ冷凍機及びスクリュー冷凍機からなる群から選択される少なくとも1種に使用する、請求項１〜１３のいずれかに記載の組成物。
【発明の詳細な説明】
【技術分野】
【０００１】
本発明は、冷媒等として使用されるフッ素化炭化水素の混合物を含有する組成物（但し、前記混合物に含まれる基本4成分、即ちジフルオロメタン（R32）、ペンタフルオロエタン（R125）、2,3,3,3-テトラフルオロプロペン（1234yf）及び1,1,1,2-テトラフルオロエタン（R134a）のみからなる場合も含む）及びその応用に関する。
【背景技術】
【０００２】
近年、エアコン、冷凍機、冷蔵庫等に使用される冷媒としては、ジフルオロメタン（CH2F2、R32、沸点-52℃）、ペンタフルオロエタン（CF3CHF2、R125、沸点-48℃）、1,1,1-トリフルオロエタン（CF3CH3、R143a、沸点-47℃）、1,1,1,2-テトラフルオロエタン（CF3CH2F、R134a、沸点-26℃）、1,1-ジフルオロエタン（CHF2CH3、R152a、沸点-24℃）、2,3,3,3-テトラフルオロプロペン（CF3CF=CH2、1234yf、沸点-29℃）等の、その分子構造中に塩素を含まないフッ素化炭化水素の混合物が用いられている。
【０００３】
これまでに、上記のフッ素化炭化水素のうち、R32／R125／R134aからなる3成分混合冷媒であって、その組成が23/25/52重量%であるもの（R407C）、R125/143a/R134aからなる3成分混合冷媒であって、その組成が44/52/4重量%であるもの（R404A）等が提案されておりR404Aが冷凍用及び冷蔵用の冷媒として現在広く用いられている（特許文献1、2等）。
【０００４】
しかしながら、R404Aの地球温暖化係数（GWP）は3943（IPCC Fifth Assessment Report, 2014 (AR5)に基づいた最新のGWP値であり、特に断りのない限り本明細書におけるGWP値は当該AR5に基づいた最新のGWP値を意味する。）と非常に高く、含塩素フッ素化炭化水素類の一つであるCHClF2（R22）と同程度であることが分かっている。従って、R404Aの代替冷媒として、R404Aと同等の冷凍能力を有し、GWPが小さく、かつR404A同様に不燃冷媒（ASHRAE不燃（ANSI/ASHRAE34-2013で定義されるクラス1の冷媒））の性能を兼ね備える冷媒の開発が求められている。
【０００５】
また、R404A以前に冷凍用及び冷蔵用の冷媒として使用されていた含塩素フッ素化炭化水素類（HCFC）としてCHClF2（R22）を使用する冷凍機もまだ数多く残っているが、HCFCはモントリオール議定書により先進国は2020年に全廃が求められ、途上国は段階的削減（第1:10%、第2:35%）することが求められている。これらの冷凍機には、R22の代替冷媒として、冷凍サイクルにおいてR22を用いる場合と同等な圧縮機出口圧力となる冷媒（いわゆるR22レトロフィット冷媒）であって、GWPが小さく、かつR22と同様に不燃冷媒（ASHRAE不燃（ANSI/ASHRAE34-2013で定義されるクラス1の冷媒））の性能を兼ね備える冷媒の開発も求められている。
【０００６】
本発明に関連する他の先行文献として、特許文献3、4等がある。
【先行技術文献】
【特許文献】
【０００７】
【特許文献１】特許第2869038号公報
【特許文献２】米国特許第8,168,077号公報
【特許文献３】特許第5689068号公報
【特許文献４】特表2013-529703号公報
【発明の概要】
【発明が解決しようとする課題】
【０００８】
特許文献3及び4では、R404Aの代替冷媒として、ジフルオロメタン（R32）、ペンタフルオロエタン（R125）、2,3,3,3-テトラフルオロプロペン（1234yf）及び1,1,1,2-テトラフルオロエタン（R134a）を含む冷媒組成物が報告されている。しかし、R404Aと同等の冷凍能力を有し、GWPが小さく、かつASHRAE不燃の性能を兼ね備える冷媒組成物の開発には至っていない。
【０００９】
本発明は、GWPが小さく、かつASHRAE不燃の性能を兼ね備える冷媒組成物を提供することを目的とする。また、好ましい実施形態として、現在汎用されているR404Aと同等の冷凍能力を有し、GWPが小さく、かつASHRAE不燃の性能を兼ね備える冷媒組成物、R22と同等の圧縮機出口圧力を有し、GWPが小さく、かつASHRAE不燃の性能を兼ね備える冷媒組成物などを提供することを目的とする。
【課題を解決するための手段】
【００１０】
本発明者らは、上記の目的を達成すべく、鋭意研究を行った結果、フッ素化炭化水素の混合物を含有する組成物であって、前記混合物が、ジフルオロメタン（R32）、ペンタフルオロエタン（R125）、2,3,3,3-テトラフルオロプロペン（1234yf）及び1,1,1,2-テトラフルオロエタン（R134a）を特定濃度で含むことにより、上記課題を解決することができることを見出し、本発明を完成するに至った。
【００１１】
すなわち、本発明は、下記の組成物及びその応用を提供するものである。
１．フッ素化炭化水素の混合物を含有する組成物であって、
前記混合物に含まれるフッ素化炭化水素の組成比が、R32、R125、1234yf及びR134aの濃度の総和を100重量%、R32の濃度をx重量%とするとき、R125、1234yf及びR134aの濃度の総和が（100-x）重量%で示される3成分組成図において、
（1）-3  18.8重量%＞x≧16.8重量%であり、
（2）-3  R125、1234yf及び134aの濃度（R125の濃度（重量%）／1234yfの濃度（重量%）／134aの濃度（重量%））が、
点B(0.1305x2-5.942x+81.197/0.4948x2-23.267x+294.53/100-R32-R125-1234yf)、
点C(0.0785x2-4.1072x+71.965/0.1365x2-7.218x+95.433/100-R32-R125-1234yf)、
点F(0.0105x2-1.6128x+43.512/0.0724x2-4.8312x+65.229/100-R32-R125-1234yf)、及び、
点E(0.1139x2-5.0532x+64.849/0.3892x2-18.658x+233.4/100-R32-R125-1234yf)
を頂点とする四角形の範囲に含まれる組成比を有する混合物３、
（1）-4  22.5重量%＞x≧18.8重量%であり、
（2）-4  R125、1234yf及び134aの濃度（R125の濃度（重量%）／1234yfの濃度（重量%）／134aの濃度（重量%））が、
点B(0.0396x2-2.5301x+49.164/0.1783x2-11.669x+188.29/100-R32-R125-1234yf)、
点C(0.0199x2-1.9819x+52.725/0.0592x2-4.6129x+73.8/100-R32-R125-1234yf)、
点Dは、20.0重量%＞x≧18.8重量%のときは、
点D(100-R32-1234yf-R134a/0/-1.3187x+89.053)
22.5重量%＞x≧20.0重量%のときは、
点D(100-R32-1234yf-R134a/0/-0.0092x2-0.956x+85.484)
点Fは、
19.7重量%＞x≧18.8重量%のときは、
点F(-2x+54.5/0/100-R32-R125-1234yf)
22.5重量%＞x≧19.7重量%のときは、
点F(-1.9698ｘ+53.892/0/100-R32-R125-1234yf)、及び
点E (0.0399x2-2.4292x+41.652/0.1589x2-10.485x+161.15/100-R32-R125-1234yf)
を頂点とする四角形又は五角形の範囲に含まれる組成比を有する混合物４、
（1）-5  24.2重量%＞x≧22.5重量%であり、
（2）-5  R125、1234yf及び134aの濃度（R125の濃度（重量%）／1234yfの濃度（重量%）／134aの濃度（重量%））が、
点B(0.0251x2-1.8786x+41.842/0.1176x2-9.1887x+163.2/100-R32-R125-1234yf)、
点C(0.011x2-2.409x+66.822/0/100-R32-R125-1234yf)、
点F(-1.9412x+53.276/0/100-R32-R125-1234yf)、及び
点E(-0.5882x+20.435/-3.3529x+81.141/100-R32-R125-1234yf)
を頂点とする四角形の範囲に含まれる組成比を有する混合物５、並びに
（1）-6  27.3重量%≧x≧24.2重量%であり、
（2）-6  R125、1234yf及び134aの濃度（R125の濃度（重量%）／1234yfの濃度（重量%）／134aの濃度（重量%））が、
点B(0.0251x2-1.8786x+41.842/0.1176x2-9.1887x+163.2/100-R32-R125-1234yf)、
点C(0.011x2-2.409x+66.822/0/100-R32-R125-1234yf)、及び
点I’は、
25.4重量%＞x≧24.2重量%のときは、
点I’(0.9662x-19.12/0/100-R32-1234yf-R134a)
27.3重量%≧x≧25.4重量%のときは、
点I’(x-20.0/0/100-R32-1234yf-R134a)
を頂点とする三角形の範囲に含まれる組成比を有する混合物６、
からなる群から選択される少なくとも一種を含有する組成物。
２．フッ素化炭化水素の混合物を含有する組成物であって、
前記混合物に含まれるフッ素化炭化水素の組成比が、R32、R125、1234yf及びR134aの濃度の総和を100重量%、R32の濃度をx重量%とするとき、R125、1234yf及びR134aの濃度の総和が（100-x）重量%で示される3成分組成図において、
（1）-1  16.6重量%＞x≧12.7重量%であり、
（2）-1  R125、1234yf及び134aの濃度（R125の濃度（重量%）／1234yfの濃度（重量%）／134aの濃度（重量%））が、
点G’は、
14.1重量%＞x≧12.7重量%のときは、
点G’(100-R32-1234yf-R134a/-0.0245x2+0.0147x+38.771/0.0515x2-1.5942x+24.942)、
16.6重量%＞x≧14.1重量%のときは、
点G’(100-R32-1234yf-R134a/-0.55x+41.855/-0.4x+18.34)
点L  (-0.0492x2-1.686x+68.551/0.0446x2-0.308x+31.712/100-R32-R125-1234yf)、及び
点M  (0.008x2-2.2604x+66.615/-0.0137x2-2.9821x+74.989/100-R32-R125-1234yf)
を頂点とする点又は三角形の範囲に含まれる組成比を有する混合物１、
（1）-2  18.6重量%＞x≧16.6重量%であり、
（2）-2  R125、1234yf及び134aの濃度（R125の濃度（重量%）／1234yfの濃度（重量%）／134aの濃度（重量%））が、
点G’は、
18.1重量%＞x≧16.6重量%のときは、
点G’(100-R32-1234yf-R134a/-0.55x+41.855/-0.4x+18.34)、
18.6重量%＞x≧18.1重量%のときは、
点G’(100-R32-1234yf-R134a/-0.4725x+40.108/-0.4725x+19.708)、
点L(-0.1236x2+1.0174x+44.174/0.1557x2-4.1979x+65.676/100-R32-R125-1234yf)、及び
点M(0.1038x2-5.4653x+93.417/0.1482x2-8.2741x+118.21/100-R32-R125-1234yf)
を頂点とする三角形の範囲に含まれる組成比を有する混合物２、
（1）-3  18.7重量%＞x≧18.6重量%であり、
（2）-3  R125、1234yf及び134aの濃度（R125の濃度（重量%）／1234yfの濃度（重量%）／134aの濃度（重量%））が、
点G’(100-R32-1234yf-R134a1/-0.4725x+40.108/-0.4725x+19.708)、
点L  (-0.1236x2+1.0174x+44.174/0.1557x2-4.1979x+65.676/100-R32-R125-1234yf)、
点Y  (-1.9949x2+75.281x-685.87/2.5224x2-95.07x+915.66/100-R32-R125-1234yf)、及び
点R  (0.0523x2-0.5865x+20.487/0.0654x2-0.9831x+11.234/100-R32-R125-1234yf)、
を頂点とする四角形の範囲に含まれる組成比を有する混合物３、
（1）-4  20.8重量%＞x≧18.7重量%であり、
（2）-4  R125、1234yf及び134aの濃度（R125の濃度（重量%）／1234yfの濃度（重量%）／134aの濃度（重量%））が、
点G’、点H’は、
20.0重量%＞x≧18.7重量%のときは、
点G’(100-R32-1234yf-R134a/-0.4725x+40.108/-0.4725x+19.708)、
点H’(0.9505x+1.1112/-0.8956x+59.706/100-R32-1234yf-R134a)
20.8重量%＞x≧20.0重量%のときは、
点G’(100-R32-1234yf-R134a/-0.4626x+40.171/-0.5374x+21.029)、
点H’(0.8071ｘ+5.0693/-0.9232x+60.267/100-R32-1234yf-R134a)、
点L(0.1057x2-5.6028x+87.817/0.2718x2-16.4x+253.22/100-R32-R125-1234yf)、
点Y (-1.9949x2+75.281x-685.87/2.5224x2-95.07x+915.66/100-R32-R125-1234yf)、及び
点Rは、
20.4重量%＞x≧18.7重量%のときは、
点R  (0.0523x2-0.5865x+20.487/0.0654x2-0.9831x+11.234/100-R32-R125-1234yf)、
20.8重量%＞x≧20.4重量%のときは、
点R  (-0.03x2+2.6154x-10.573/-0.0418x2+3.2371x-30.177/100-R32-R125-1234yf)、
を頂点とする五角形の範囲に含まれる組成比を有する混合物４、
（1）-5  23.2重量%≧x≧20.8重量%及び25.6重量%＞x≧25.4重量%であり、
（2）-5  R125、1234yf及び134aの濃度（R125の濃度（重量%）／1234yfの濃度（重量%）／134aの濃度（重量%））が、
点G’、点H’は、
22.6重量%＞x≧20.8重量%のときは、
点G’(100-R32-1234yf-R134a/-0.4626x+40.171/-0.5374x+21.029)、
点H’(0.8071ｘ+5.0693/-0.9232x+60.267/100-R32-1234yf-R134a)、
23.2重量%≧x≧22.6重量%のときは、
点G’(100-R32-1234yf-R134a/-0.5709x+42.607/-0.4291x+18.593)、
点H’(0.7534x+5.102/-0.9291x+60.393/100-R32-1234yf-R134a)、
25.6重量%＞x≧25.4重量%のときは、
点G’(100-R32-1234yf-R134a/-0.4725x+40.108/-0.4725x+19.708)、
点H’(0.7363x+5.496/-0.9505x+60.928/100-R32-1234yf-R134a)、
点Q、点Rは、
21.8重量%＞x≧20.8重量%のときは、
点Q(-0.2929x2+14.203x-151.75/-0.8412x2+36.769x-371.19/100-R32-R125-1234yf)、点R(-0.03x2+2.6154x-10.573/-0.0418x2+3.2371x-30.177/100-R32-R125-1234yf)、
23.2重量%≧x≧21.8重量%及び25.6重量%＞x≧25.4重量%のときは、
点Q(-0.0078x2+2.2066x-25.686/-0.0471x2+3.4143x-21.435/100-R32-R125-1234yf)、
点R(-0.0365x2+2.9381x-14.607/-0.0152x2+1.9858x-15.652/100-R32-R125-1234yf)、
を頂点とする三角形又は四角形の範囲に含まれる組成比を有する混合物５、
（1）-6  27.3重量%≧x≧25.6重量%であり、
（2）-6  R125、1234yf及び134aの濃度（R125の濃度（重量%）／1234yfの濃度（重量%）／134aの濃度（重量%））が、
点G’(100-R32-1234yf-R134a/-0.4725x+40.108/-0.4725x+19.708)、
点Q (7.7059x-171.67/-16.647x+461.26/100-R32-R125-1234yf)、及び
点R(1.1765x+6.5824/-10.824x+302.28/100-R32-R125-1234yf)
を頂点とする点又は三角形の範囲に含まれる組成比を有する混合物６、
からなる群から選択される少なくとも一種を含有する組成物。
３．フッ素化炭化水素の混合物を含有する組成物であって、
前記混合物に含まれるフッ素化炭化水素の組成比が、R32、R125、1234yf及びR134aの濃度の総和を100重量%、R32の濃度をx重量%とするとき、R125、1234yf及びR134aの濃度の総和が（100-x）重量%で示される3成分組成図において、
（1）-1  18.1重量%＞x≧16.6重量%であり、
（2）-1  R125、1234yf及び134aの濃度（R125の濃度（重量%）／1234yfの濃度（重量%）／134aの濃度（重量%））が、
点T  (-0.0107x2+0.5345x+25.331/-0.006x2+0.02x+23.019/100-R32-R125-1234yf)、
点M  (0.1038x2-5.4653x+93.417/0.1482x2-8.2741x+118.21/100-R32-R125-1234yf)、及び
点V  (-0.38x2+7.0542x+18.925/0.7958x2-14.947x+50.53/100-R32-R125-1234yf)
を頂点とする点又は三角形に含まれる組成比を有する混合物１、
（1）-2  18.6重量%＞x≧18.1重量%であり、
（2）-2  R125、1234yf及び134aの濃度（R125の濃度（重量%）／1234yfの濃度（重量%）／134aの濃度（重量%））が、
点S  (0.0678x2-2.1697x+39.158/-0.0223x2-0.0437x+50.421/100-R32-R125-1234yf)、
点T  (-0.006x2+0.417x+25.928/0.0167x2-0.8974x+32.141/100-R32-R125-1234yf)、
点M  (0.1038x2-5.4653x+93.417/0.1482x2-8.2741x+118.21/100-R32-R125-1234yf)、及び
点L  (-0.1236x2+1.0174x+44.174/0.1557x2-4.1979x+65.676/100-R32-R125-1234yf)
を頂点とする三角形又は四角形の範囲に含まれる組成比を有する混合物２、
（1）-3  18.7重量%＞x≧18.6重量%であり、
（2）-3  R125、1234yf及び134aの濃度（R125の濃度（重量%）／1234yfの濃度（重量%）／134aの濃度（重量%））が、
点S(0.0678x2-2.1697x+39.158/-0.0223x2-0.0437x+50.421/100-R32-R125-1234yf)、
点T(-0.006x2+0.417x+25.928/0.0167x2-0.8974x+32.141/100-R32-R125-1234yf)、
点R(0.0523x2-0.5865x+20.487/0.0654x2-0.9831x+11.234/100-R32-R125-1234yf)、
点Y(-1.9949x2+75.281x-685.87/2.5224x2-95.07x+915.66/100-R32-R125-1234yf)、及び、
点L(-0.1236x2+1.0174x+44.174/0.1557x2-4.1979x+65.676/100-R32-R125-1234yf)
を頂点とする四角形又は五角形の範囲に含まれる組成比を有する混合物３、
（1）-4  20.8重量%＞x≧18.7重量%であり、
（2）-4  R125、1234yf及び134aの濃度（R125の濃度（重量%）／1234yfの濃度（重量%）／134aの濃度（重量%））が、
点S(0.0678x2-2.1697x+39.158/-0.0223x2-0.0437x+50.421/100-R32-R125-1234yf)、
点T(-0.006x2+0.417x+25.928/0.0167x2-0.8974x+32.141/100-R32-R125-1234yf)、 
点Rは、
20.4重量%＞x≧18.7重量%のときは、
点R(0.0523x2-0.5865x+20.487/0.0654x2-0.9831x+11.234/100-R32-R125-1234yf)、20.8重量%＞x≧20.4重量%のときは、
点R(-0.0835x2+4.8254x-33.399/-0.1022x2+5.7453x-56.277/100-R32-R125-1234yf)
点Y(-1.9949x2+75.281x-685.87/2.5224x2-95.07x+915.66/100-R32-R125-1234yf)
点L (0.1057x2-5.6028x+87.817/0.2718x2-16.4x+253.22/100-R32-R125-1234yf)、及び
点H’は、
20.0重量%＞x≧18.7重量%のときは、
点H’(0.9505x+1.1112/-0.8956x+59.706/100-R32-1234yf-R134a)、
20.8重量%＞x≧20.0重量%のときは、
点H’(0.8071ｘ+5.0693/-0.9232x+60.267/100-R32-1234yf-R134a)、
を頂点とする五角形又は六角形の範囲に含まれる組成比を有する混合物４、
（1）-5  21.8重量%＞x≧20.8重量%であり、
（2）-5  R125、1234yf及び134aの濃度（R125の濃度（重量%）／1234yfの濃度（重量%）／134aの濃度（重量%））が、
点S(0.0366x2-1.4284x+37.268/-0.0225x2+0.3598x+41.166/100-R32-R125-1234yf)、
点T(0.0629x2-2.606x+58.972/0.045x2-2.2196x+47.368/100-R32-R125-1234yf)、
点R(-0.0835x2+4.8254x-33.399/-0.1022x2+5.7453x-56.277/100-R32-R125-1234yf)、
点Q(-0.2929x2+14.203x-151.75/-0.8412x2+36.769x-371.19/100-R32-R125-1234yf)、及び
点H’(0.8071ｘ+5.0693/-0.9232x+60.267/100-R32-1234yf-R134a)、
を頂点とする五角形の範囲に含まれる組成比を有する混合物５、並びに
（1）-6  23.2重量%＞x≧21.8重量%であり、
（2）-6  R125、1234yf及び134aの濃度（R125の濃度（重量%）／1234yfの濃度（重量%）／134aの濃度（重量%））が、
点S(0.0366x2-1.4284x+37.268-0.0225x2+0.3598x+41.166100-R32-R125-1234yf)、
点α(-0.0609x2+0.9855x+39.5570.1273x2-1.9795x+3.0676100-R32-R125-1234yf)、及び
点Q(-0.0078x2+2.2066x-25.686-0.0471x2+3.4143x-21.435100-R32-R125-1234yf)、
点H’は、
22.6重量%＞x≧21.8重量%のときは、
点H’(0.8071ｘ+5.0693/-0.9232x+60.267/100-R32-1234yf-R134a)
23.2重量%≧x≧22.6重量%のときは、
点H’(0.7534x+5.102/-0.9291x+60.393/100-R32-1234yf-R134a)
を頂点とする三角形又は四角形の範囲に含まれる組成比を有する混合物６、
からなる群から選択される少なくとも一種を含有する組成物。
４．フッ素化炭化水素の混合物を含有する組成物であって、前記混合物が、HCFC-1122、HCFC-124、CFC-1113及び3,3,3-トリフルオロプロピンからなる群より選択される少なくとも1種のフッ素化炭化水素、R32、R125、R134a及び1234yfを含有する、上記項１〜３のいずれかに記載の組成物。
５．フッ素化炭化水素の混合物を含有する組成物であって、前記混合物が、式（１）：CmHnXp[式中、Xはそれぞれ独立してフッ素原子、塩素原子又は臭素原子を表し、mは1又は2であり、2m+2≧n+pであり、p≧1である。]で表される少なくとも1種のハロゲン化有機化合物、R32、R125、R134a及び1234yfを含有する、上記項１〜３のいずれかに記載の組成物。
６．フッ素化炭化水素の混合物を含有する組成物であって、前記混合物が、式（２）：CmHnXp[式中、Xはそれぞれ独立してハロゲン原子ではない原子を表し、mは1又は2であり、2m+2≧n+pであり、p≧1である。]で表される少なくとも1種の有機化合物、R32、R125、R134a及び1234yfを含有する、上記項１〜３のいずれかに記載の組成物。
７．フッ素化炭化水素の混合物を含有する組成物であって、前記混合物が、R32、R125、R134a、1234yf及び水を含む、上記項１〜３のいずれかに記載の組成物。
８．冷凍機油を含有する、上記項１〜７のいずれかに記載の組成物。
９．前記冷凍機油が、ポリアルキレングリコール（PAG）、ポリオールエステル（POE）及びポリビニルエーテル（PVE）からなる群より選択される少なくとも1種のポリマーを含有する、上記項８に記載の組成物。
１０．混合冷媒であるR404A（R125/R134a/R143a=44/4/52重量%）の代替冷媒である、上記項２〜９のいずれかに記載の組成物。
１１．HCFC冷媒であるR22の代替冷媒である、上記項１及び４〜９のいずれかに記載の組成物。
１２．トレーサー、相溶化剤、紫外線蛍光染料、安定剤及び重合禁止剤からなる群より選択される少なくとも1種の物質を含む、上記項１〜１１のいずれかに記載の組成物。
１３．前記組成物が、前記フッ素化炭化水素の混合物のみからなる、上記項１〜１２のいずれかに記載の組成物。
１４．上記項１〜１３のいずれかに記載の組成物を用いて冷凍サイクルを運転する工程を含む、冷凍方法。
１５．上記項１〜１３のいずれかに記載の組成物を用いて冷凍サイクルを運転する、冷凍機の運転方法。
１６．上記項１〜１３のいずれかに記載の組成物を含む冷凍機。
１７．冷蔵庫、冷凍庫、冷水機、製氷機、冷蔵ショーケース、冷凍ショーケース、冷凍冷蔵ユニット、冷凍冷蔵倉庫用冷凍機、チラー（チリングユニット）、ターボ冷凍機及びスクリュー冷凍機からなる群から選択される少なくとも1種に使用する、上記項１〜１３のいずれかに記載の組成物。
【発明の効果】
【００１２】
本発明の組成物は、フッ素化炭化水素の混合物を含有する組成物であって、前記混合物が、ジフルオロメタン（R32）、ペンタフルオロエタン（R125）、2,3,3,3-テトラフルオロプロペン（1234yf）及び1,1,1,2-テトラフルオロエタン（R134a）を特定濃度で含むことにより、1500以下のGWP及びASHRAE不燃の性能を兼ね備える。
【図面の簡単な説明】
【００１３】
【図１】ジフルオロメタン（R32）、ペンタフルオロエタン（R125）、2,3,3,3-テトラフルオロプロペン（1234yf）及び1,1,1,2-テトラフルオロエタン（R134a）の基本4成分の混合物において、実験例1から求めた、R32の濃度が22.6重量%である場合における、R125、1234yf及びR134aの3成分組成図上のASHRAE不燃限界組成（6点の○印）及びそれらを結ぶ回帰線（点G、Hを結ぶ直線及び点H、Iを結ぶ直線）を示す図である。
【図２−６】R32の濃度がそれぞれ8.8、12.7、14.1、16.1、18.1重量%である場合における、R125、1234yf及びR134aの3成分組成図上の、前記混合物の組成（点G、H、I、N及びDで囲まれる五角形又は四角形、及び、点G’、H’、I’、N及びDで囲まれる五角形又は四角形）を示す図である。線分ADから1234yf側がGWPが1500以下の領域を示し、線分GHI（線分GH及び線分HIを意味し、纏めて線分GHIという。以下同様。）からR125側がASHRAE不燃となる領域を示す。また、点GHINDで囲まれる五角形又は四角形はGWPが1500以下で、かつ、ASHRAE不燃となる領域を示し、点G’H’I’NDで囲まれる五角形又は四角形はGWPが1500以下で、かつ、不燃冷媒R134aとR125に後述する安全率を加味したASHRAE不燃となる領域を示す。
【図７−８】R32の濃度がそれぞれ19.2、20.0重量%である場合における、R125、1234yf及びR134aの3成分組成図上の、前記混合物の組成（点G、H、I、N及びDで囲まれる五角形又は四角形、及び、点G’、H’、I’及びDで囲まれる四角形）を示す図である。線分ADから1234yf側がGWPが1500以下の領域を示し、線分GHIからR125側がASHRAE不燃となる領域を示す。また、点GHINDで囲まれる五角形又は四角形はGWPが1500以下で、かつ、ASHRAE不燃となる領域を示し、点G’H’I’Dで囲まれる四角形はGWPが1500以下で、かつ、不燃冷媒R134aとR125に後述する安全率を加味したASHRAE不燃となる領域を示す。
【図９−１４】R32の濃度がそれぞれ21.2、22.6、24.2、25.4、26.5、27.3重量%である場合における、R125、1234yf及びR134aの3成分組成図上の、前記混合物の組成（点G、H、I及びDで囲まれる四角形、及び、点G’、H’、I’及びDで囲まれる四角形）を示す図である。点GHIDで囲まれる四角形はGWPが1500以下で、かつ、ASHRAE不燃となる領域を示し、点G’H’I’Dで囲まれる四角形はGWPが1500以下で、かつ、不燃冷媒R134aとR125に後述する安全率を加味したASHRAE不燃となる領域を示す。
【図１５】R32の濃度が8.8重量%である場合における、R125、1234yf及びR134aの3成分組成図上の、前記混合物の組成（点B(B=C=G’)、F及びEで囲まれる三角形、及び、点B’、C’、F’及びE’で囲まれる四角形）を示す図である。点BFEで囲まれる三角形はGWPが1500以下で、安全率を加味したASHRAE不燃となり、かつ、圧縮機出口圧力がR22の圧力に対して±2.5%以内となる領域を示し、点B’C’F’E’で囲まれる四角形はGWPが1500以下で、安全率を加味したASHRAE不燃となり、かつ、圧縮機出口圧力がR22の圧力に対して±1.25%以内となる領域を示す。
【図１６−１７】R32の濃度がそれぞれ12.7、14.1重量%である場合における、R125、1234yf及びR134aの3成分組成図上の、前記混合物の組成（点B、C、F及びEで囲まれる四角形、及び、点B’、C’、F’及びE’で囲まれる四角形）を示す図である。点BCFEで囲まれる四角形はGWPが1500以下で、安全率を加味したASHRAE不燃となり、かつ、圧縮機出口圧力がR22の圧力に対して±2.5%以内となる領域を示し、点B’C’F’E’で囲まれる四角形はGWPが1500以下で、安全率を加味したASHRAE不燃となり、かつ、圧縮機出口圧力がR22の圧力に対して±1.25%以内となる領域を示す。
【図１８−１９】R32の濃度がそれぞれ14.8、16.1重量%である場合における、R125、1234yf及びR134aの3成分組成図上の、前記混合物の組成（点B、C、F、E及びH’で囲まれる五角形、及び、点B’、C’、F’及びE’で囲まれる四角形）を示す図である。点BCFEH’で囲まれる五角形はGWPが1500以下で、安全率を加味したASHRAE不燃となり、かつ、圧縮機出口圧力がR22の圧力に対して±2.5%以内となる領域を示し、点B’C’F’E’で囲まれる四角形はGWPが1500以下で、安全率を加味したASHRAE不燃となり、かつ、圧縮機出口圧力がR22の圧力に対して±1.25%以内となる領域を示す。
【図２０−２３】R32の濃度がそれぞれ16.8、17.4、18.1、18.8重量%である場合における、R125、1234yf及びR134aの3成分組成図上の、前記混合物の組成（点B、C、F及びEで囲まれる四角形、及び、点B’、C’、F’及びE’で囲まれる四角形）を示す図である。点BCFEで囲まれる四角形はGWPが1500以下で、安全率を加味したASHRAE不燃となり、かつ、圧縮機出口圧力がR22の圧力に対して±2.5%以内となる領域を示し、点B’C’F’E’で囲まれる四角形はGWPが1500以下で、安全率を加味したASHRAE不燃となり、かつ、圧縮機出口圧力がR22の圧力に対して±1.25%以内となる領域を示す。
【図２４−２５】R32の濃度が19.2、19.7重量%である場合における、R125、1234yf及びR134aの3成分組成図上の、前記混合物の組成（点B、C、D、F及びEで囲まれる五角形、及び、点B’、C’、F’及びE’で囲まれる四角形）を示す図である。点BCDFEで囲まれる五角形はGWPが1500以下で、安全率を加味したASHRAE不燃となり、かつ、圧縮機出口圧力がR22の圧力に対して±2.5%以内となる領域を示し、点B’C’F’E’で囲まれる四角形はGWPが1500以下で、安全率を加味したASHRAE不燃となり、かつ、圧縮機出口圧力がR22の圧力に対して±1.25%以内となる領域を示す。
【図２６−２７】R32の濃度が21.6、22.5重量%である場合における、R125、1234yf及びR134aの3成分組成図上の、前記混合物の組成（点B、C、D、F及びEで囲まれる五角形、及び、点B’、C’、F’及びE’で囲まれる四角形）を示す図である。点BCDFEで囲まれる五角形はGWPが1500以下で、安全率を加味したASHRAE不燃となり、かつ、圧縮機出口圧力がR22の圧力に対して±2.5%以内となる領域を示し、点B’C’F’E’で囲まれる四角形はGWPが1500以下で、安全率を加味したASHRAE不燃となり、かつ、圧縮機出口圧力がR22の圧力に対して±1.25%以内となる領域を示す。
【図２８】R32の濃度が24.2重量%である場合における、R125、1234yf及びR134aの3成分組成図上の、前記混合物の組成（点B、C、及びF（F＝E=I’）で囲まれる三角形、及び、点B’、C’、F’及びE’で囲まれる四角形）を示す図である。点BCFで囲まれる三角形はGWPが1500以下で、安全率を加味したASHRAE不燃となり、かつ、圧縮機出口圧力がR22の圧力に対して±2.5%以内となる領域を示し、点B’C’F’E’で囲まれる四角形はGWPが1500以下で、安全率を加味したASHRAE不燃となり、かつ、圧縮機出口圧力がR22の圧力に対して±1.25%以内となる領域を示す。
【図２９】R32の濃度が25.0重量%である場合における、R125、1234yf及びR134aの3成分組成図上の、前記混合物の組成（点B、C及びI’で囲まれる三角形、及び、点B’、C’、I’（I’=F’=E’）囲まれる三角形）を示す図である。点BCI’で囲まれる三角形はGWPが1500以下で、安全率を加味したASHRAE不燃となり、かつ、圧縮機出口圧力がR22の圧力に対して±2.5%以内となる領域を示し、点B’C’I’で囲まれる三角形はGWPが1500以下で、安全率を加味したASHRAE不燃となり、かつ、圧縮機出口圧力がR22の圧力に対して±1.25%以内となる領域を示す。
【図３０】R32の濃度が26.5重量%である場合における、R125、1234yf及びR134aの3成分組成図上の、前記混合物の組成（点B、C及びI’で囲まれる三角形）を示す図である。点BCI’で囲まれる三角形はGWPが1500以下で、安全率を加味したASHRAE不燃となり、かつ、圧縮機出口圧力がR22の圧力に対して±2.5%以内となる領域を示す。
【図３１】R32の濃度が27.3重量%である場合における、R125、1234yf及びR134aの3成分組成図上の、前記混合物の組成（点I’(I’=B=C)）を示す図である。I’はGWPが1500以下で、安全率を加味したASHRAE不燃となり、かつ、圧縮機出口圧力がR22の圧力に対して±2.5%以内となる点を示す。
【図３２】R32の濃度が12.7重量%である場合における、R125、1234yf及びR134aの3成分組成図上の、前記混合物の組成（点L(L=M=G’）を示す図である。線分QRから1234yf側は圧縮機出口温度が115℃以下となる領域を示し、線分STからR134a側はCOPが107.75%以上となる領域を示す。また、点LはGWPが1500以下で、安全率を加味したASHRAE不燃となり、圧縮機出口温度が115℃以下で、かつ、冷凍能力がR404Aに対して90%となる点を示す。
【図３３】R32の濃度が15.9重量%である場合における、R125、1234yf及びR134aの3成分組成図上の、前記混合物の組成（点G’、L及びMで囲まれる三角形、及び、点O(O=P=G’）を示す図である。点G’LMで囲まれる三角形はGWPが1500以下で、安全率を加味したASHRAE不燃となり、圧縮機出口温度が115℃以下で、かつ、冷凍能力がR404Aに対して90%以上となる領域を示し、点Oは GWPが1500以下で、安全率を加味したASHRAE不燃となり、圧縮機出口温度が115℃以下で、かつ、冷凍能力がR404Aに対して95%となる点を示す。
【図３４】R32の濃度が16.6重量%である場合における、R125、1234yf及びR134aの3成分組成図上の、前記混合物の組成（点G’、L及びMで囲まれる三角形、点G’、O及びPで囲まれる三角形）を示す図である。点G’LMで囲まれる三角形はGWPが1500以下で、安全率を加味したASHRAE不燃となり、圧縮機出口温度が115℃以下で、かつ、冷凍能力がR404Aに対して90%以上となる領域を示し、点G’OPで囲まれる三角形は GWPが1500以下で、安全率を加味したASHRAE不燃となり、圧縮機出口温度が115℃以下で、かつ、冷凍能力がR404Aに対して95%となる点を示す。
【図３５】R32の濃度が18.1重量%である場合における、R125、1234yf及びR134aの3成分組成図上の、前記混合物の組成（点G’、L及びMで囲まれる三角形、点V（V=S=L）、T及びMで囲まれる三角形、及び点G’、O及びPで囲まれる三角形）を示す図である。点G’LMで囲まれる三角形はGWPが1500以下で、安全率を加味したASHRAE不燃となり、圧縮機出口温度が115℃以下で、かつ、冷凍能力がR404Aに対して90%以上となる領域を示す。点VTMで囲まれる三角形はGWPが1500以下で、安全率を加味したASHRAE不燃となり、圧縮機出口温度が115℃以下で、COPがR404Aに対して107.75%以上となり、かつ、冷凍能力がR404Aに対して90%以上となる領域を示す。点G’OPで囲まれる三角形はGWPが1500以下で、安全率を加味したASHRAE不燃となり、圧縮機出口温度が115℃以下で、かつ、冷凍能力がR404Aに対して95%となる領域を示す。
【図３６】R32の濃度が18.6重量%である場合における、R125、1234yf及びR134aの3成分組成図上の、前記混合物の組成（点G’、L及びMで囲まれる三角形、点S、T、M（M=R=Y）及びLで囲まれる四角形、及び、点G’、O及びPで囲まれる三角形)）を示す図である。点G’LMで囲まれる三角形はGWPが1500以下で、安全率を加味したASHRAE不燃となり、圧縮機出口温度が115℃以下で、かつ、冷凍能力がR404Aに対して90%以上となる領域を示す。点STMLで囲まれる四角形はGWPが1500以下で、安全率を加味したASHRAE不燃となり、圧縮機出口温度が115℃以下で、COPがR404Aに対して107.75%以上となり、かつ、冷凍能力がR404Aに対して90%以上となる領域を示す。点G’OPで囲まれる三角形はGWPが1500以下で、安全率を加味したASHRAE不燃となり、圧縮機出口温度が115℃以下で、かつ、冷凍能力がR404Aに対して95%以上となる領域を示す。
【図３７】R32の濃度が18.7重量%である場合における、R125、1234yf及びR134aの3成分組成図上の、前記混合物の組成（点G’、L（L=H’）、Y及びRで囲まれる四角形、点S、T、R、Y及びL(J=H’)で囲まれる五角形、及び、点G’、O及びPで囲まれる三角形)を示す図である。点G’LYRで囲まれる四角形はGWPが1500以下で、安全率を加味したASHRAE不燃となり、圧縮機出口温度が115℃以下で、かつ、冷凍能力がR404Aに対して90%以上となる領域を示す。点STRYLで囲まれる五角形はGWPが1500以下で、安全率を加味したASHRAE不燃となり、圧縮機出口温度が115℃以下で、COPがR404Aに対して107.75%以上となり、かつ、冷凍能力がR404Aに対して90%以上となる領域を示す。点G’OPで囲まれる三角形はGWPが1500以下で、安全率を加味したASHRAE不燃となり、圧縮機出口温度が115℃以下で、かつ、冷凍能力がR404Aに対して95%以上となる領域を示す。
【図３８】R32の濃度が19.6重量%である場合における、R125、1234yf及びR134aの3成分組成図上の、前記混合物の組成（点G’、H’、L、Y及びRで囲まれる五角形、点S、T、R、Y、L及びH’で囲まれる六角形、及び、点G’、O及びP(P=T=W)で囲まれる三角形)）を示す図である。点G’H’LYRで囲まれる五角形はGWPが1500以下で、安全率を加味したASHRAE不燃となり、圧縮機出口温度が115℃以下で、かつ、冷凍能力がR404Aに対して90%以上となる領域を示す。点STRYLH’で囲まれる六角形はGWPが1500以下で、安全率を加味したASHRAE不燃となり、圧縮機出口温度が115℃以下で、COPがR404Aに対して107.75%以上となり、かつ、冷凍能力がR404Aに対して90%以上となる領域を示す。点G’OPで囲まれる三角形はGWPが1500以下で、安全率を加味したASHRAE不燃となり、圧縮機出口温度が115℃以下で、かつ、冷凍能力がR404Aに対して95%以上となる領域を示す。
【図３９】R32の濃度が20.4重量%である場合における、R125、1234yf及びR134aの3成分組成図上の、前記混合物の組成（点G’、H’、L、Y及びR（R=P=Z）で囲まれる五角形、点S、T、R、Y、L及びH’で囲まれる六角形、点G’、O及びPで囲まれる三角形、点W、T及びP（P=R=Z）で囲まれる三角形）を示す図である。点G’H’LYRで囲まれる五角形はGWPが1500以下で、安全率を加味したASHRAE不燃となり、圧縮機出口温度が115℃以下で、かつ、冷凍能力がR404Aに対して90%以上となる領域を示す。点STRYLH’で囲まれる六角形はGWPが1500以下で、安全率を加味したASHRAE不燃となり、圧縮機出口温度が115℃以下で、COPがR404Aに対して107.75%以上となり、かつ、冷凍能力がR404Aに対して90%以上となる領域を示す。点G’OPで囲まれる三角形はGWPが1500以下で、安全率を加味したASHRAE不燃となり、圧縮機出口温度が115℃以下で、かつ、冷凍能力がR404Aに対して95%以上となる領域を示す。点WTPで囲まれた三角形はGWPが1500以下で、安全率を加味したASHRAE不燃となり、圧縮機出口温度が115℃以下で、COPがR404Aに対して107.75%以上となり、かつ、冷凍能力がR404Aに対して95%以上となる領域を示す。
【図４０】R32の濃度が20.8重量%である場合における、R125、1234yf及びR134aの3成分組成図上の、前記混合物の組成（点G’、H’、Q(Q=L=Y)及びR）で囲まれる四角形、点S、T、R、Q（Q=L=Y）及びH’で囲まれる五角形、点G’、O(O=S=W)及びPで囲まれる三角形、点S（S=O=W）、T、R、及びZで囲まれる四角形）を示す図である。点G’H’QRで囲まれる四角形はGWPが1500以下で、安全率を加味したASHRAE不燃となり、圧縮機出口温度が115℃以下で、かつ、冷凍能力がR404Aに対して90%以上となる領域を示す。点STRQH’で囲まれる五角形はGWPが1500以下で、安全率を加味したASHRAE不燃となり、圧縮機出口温度が115℃以下で、COPがR404Aに対して107.75%以上となり、かつ、冷凍能力がR404Aに対して90%以上となる領域を示す。点G’OPで囲まれる三角形はGWPが1500以下で、安全率を加味したASHRAE不燃となり、圧縮機出口温度が115℃以下で、かつ、冷凍能力がR404Aに対して95%以上となる領域を示す。点STRZで囲まれた四角形はGWPが1500以下で、安全率を加味したASHRAE不燃となり、圧縮機出口温度が115℃以下で、COPがR404Aに対して107.75%以上となり、かつ、冷凍能力がR404Aに対して95%以上となる領域を示す。
【図４１】R32の濃度が21.2重量%である場合における、R125、1234yf及びR134aの3成分組成図上の、前記混合物の組成（点G’、H’、Q及びRで囲まれる四角形、点S、T、R、Q及びH’（H’=O）で囲まれる五角形、点G’、O（O=H’）及びPで囲まれる三角形、点S、T、R、Z及びO（O＝H’）で囲まれる五角形）を示す図である。点G’H’QRで囲まれる四角形はGWPが1500以下で、安全率を加味したASHRAE不燃となり、圧縮機出口温度が115℃以下で、かつ、冷凍能力がR404Aに対して90%以上となる領域を示す。点STRQH’で囲まれる五角形はGWPが1500以下で、安全率を加味したASHRAE不燃となり、圧縮機出口温度が115℃以下で、COPがR404Aに対して107.75%以上となり、かつ、冷凍能力がR404Aに対して90%以上となる領域を示す。点G’OPで囲まれる三角形はGWPが1500以下で、安全率を加味したASHRAE不燃となり、圧縮機出口温度が115℃以下で、かつ、冷凍能力がR404Aに対して95%以上となる領域を示す。点STRZOで囲まれた五角形はGWPが1500以下で、安全率を加味したASHRAE不燃となり、圧縮機出口温度が115℃以下で、COPがR404Aに対して107.75%以上となり、かつ、冷凍能力がR404Aに対して95%以上となる領域を示す。
【図４２】R32の濃度が21.8重量%である場合における、R125、1234yf及びR134aの3成分組成図上の、前記混合物の組成（点G’、H’、O、Z及びR（R=T=α）で囲まれる五角形、点S、T（T=R）、Z、O及びH’で囲まれる五角形）を示す図である。点G’H’OZRで囲まれる五角形はGWPが1500以下で、安全率を加味したASHRAE不燃となり、圧縮機出口温度が115℃以下で、かつ、冷凍能力がR404Aに対して95%以上となる領域を示す。点STZOH’で囲まれる五角形はGWPが1500以下で、安全率を加味したASHRAE不燃となり、圧縮機出口温度が115℃以下で、COPがR404Aに対して107.75%以上となり、かつ、冷凍能力がR404Aに対して95%以上となる領域を示す。
【図４３】R32の濃度が22.6重量%である場合における、R125、1234yf及びR134aの3成分組成図上の、前記混合物の組成（点G’、H’、Q（Q=O=Z）及びRで囲まれる四角形、点S、α、Q(Q=O=Z)及びH’で囲まれる四角形）を示す図である。点G’H’QRで囲まれる四角形はGWPが1500以下で、安全率を加味したASHRAE不燃となり、圧縮機出口温度が115℃以下で、かつ、冷凍能力がR404Aに対して95%以上となる領域を示す。点SαQH’で囲まれる四角形はGWPが1500以下で、安全率を加味したASHRAE不燃となり、圧縮機出口温度が115℃以下で、COPがR404Aに対して107.75%以上となり、かつ、冷凍能力がR404Aに対して95%以上となる領域を示す。
【図４４】R32の濃度が23.2重量%である場合における、R125、1234yf及びR134aの3成分組成図上の、前記混合物の組成（点G’、H’、Q及びRで囲まれる四角形、点S（S=H’）、α及びQで囲まれる三角形）を示す図である。点G’H’QRで囲まれる四角形はGWPが1500以下で、安全率を加味したASHRAE不燃となり、圧縮機出口温度が115℃以下で、かつ、冷凍能力がR404Aに対して95%以上となる領域を示す。点SαQで囲まれる三角形はGWPが1500以下で、安全率を加味したASHRAE不燃となり、圧縮機出口温度が115℃以下で、COPがR404Aに対して107.75%以上となり、かつ、冷凍能力がR404Aに対して95%以上となる領域を示す。
【図４５】R32の濃度が25.4重量%である場合における、R125、1234yf及びR134aの3成分組成図上の、前記混合物の組成（点G’、H’、Q及びRで囲まれる四角形、点S（S=Q=α）を示す図である。点G’H’QRで囲まれる四角形はGWPが1500以下で、安全率を加味したASHRAE不燃となり、圧縮機出口温度が115℃以下で、かつ、冷凍能力がR404Aに対して95%以上となる領域を示す。点SはGWPが1500以下で、安全率を加味したASHRAE不燃となり、圧縮機出口温度が115℃以下で、COPがR404Aに対して107.75%以上となり、かつ、冷凍能力がR404Aに対して95%以上となる点を示す。
【図４６】R32の濃度が25.6重量%である場合における、R125、1234yf及びR134aの3成分組成図上の、前記混合物の組成（点G’Q（Q=H’）及びRで囲まれる三角形）を示す図である。点G’QRで囲まれる三角形はGWPが1500以下で、安全率を加味したASHRAE不燃となり、圧縮機出口温度が115℃以下で、かつ、冷凍能力がR404Aに対して95%以上となる領域を示す。
【図４７】R32の濃度が27.3重量%である場合における、R125、1234yf及びR134aの3成分組成図上の、前記混合物の組成（点Q(Q=G’=R)）を示す図である。点QはGWPが1500以下で、安全率を加味したASHRAE不燃となり、圧縮機出口温度が115℃以下で、かつ、冷凍能力がR404Aに対して95%以上となる点を示す。
【発明を実施するための形態】
【００１４】
本発明は、第一の形態〜第五の形態に大別される。以下にそれぞれの形態について詳細に記載する。以下、各点の説明及び近似式の説明において「x2」と記載されている場合があるが、それは「x2」を意味する。
【００１５】
第一の形態
本発明の第一の形態について詳細に記載する。
【００１６】
組成物
本発明の第一の形態の組成物（以下、第一の形態の欄において「本発明の組成物」とも称する）は、フッ素化炭化水素の混合物を含有する組成物であって、前記混合物が、ジフルオロメタン（R32）、ペンタフルオロエタン（R125）、2,3,3,3-テトラフルオロプロペン（1234yf）及び1,1,1,2-テトラフルオロエタン（R134a）を特定濃度で含む。
【００１７】
本発明の組成物は、GWPが1500以下であり、かつASHRAE不燃の性能を兼ね備える。
【００１８】
GWPは1500以下とすることによって、地球温暖化の観点から他の汎用冷媒と比べて顕著に環境負荷を抑えることができる。また、ASHRAE不燃であることにより、可燃性冷媒に比して安全性が高く使用可能範囲が広い。
【００１９】
本発明の組成物は、好ましくは冷凍能力がR404Aと同等であり、具体的には、R404Aに対する冷凍能力は85%以上が好ましく、90%以上がより好ましく、95%以上が更に好ましく、100％以上が特に好ましい。R404Aは冷凍用及び冷蔵用の冷媒として現在広く用いられている冷媒であり、本発明の組成物はR404Aの代替冷媒であることができる。
【００２０】
本発明の組成物は、冷凍サイクルでの圧縮機出口温度は、冷凍機油劣化防止の観点から130℃以下が好ましく、120℃以下がより好ましく、115℃以下が特に好ましい。
【００２１】
本発明の組成物は、冷凍サイクルで消費された動力と冷凍能力の比（成績係数（COP））が高いことが好ましく、具体的には、COPは95以上が好ましく、100以上がより好ましく、107.75以上が特に好ましい。
【００２２】
本発明の組成物は、冷凍サイクルにおける圧縮機出口圧力がR22と同等（R22レトロフィット）であることが好ましい。R22は冷凍用及び冷蔵用の冷媒としてR404A普及以前の冷媒として広く使用され、R22を冷媒とした冷凍機もまだ数多く残っているが、HCFC規制により先進国では2020年にR22は廃止予定であるので、代替冷媒が強く求められている。R22を使用している冷凍機の代替冷媒となるには、冷凍サイクルにおいて最大圧力となる圧縮機出口圧力がR22と同等であることが必須で、R22に対する圧縮機出口圧力±2.5%以内が好ましく、R22に対する圧縮機出口圧力±1.25%以内がより好ましい。
【００２３】
本発明の組成物は、前記混合物が基本4成分、即ちジフルオロメタン（R32）、ペンタフルオロエタン（R125）、2,3,3,3-テトラフルオロプロペン（1234yf）及び1,1,1,2-テトラフルオロエタン（R134a）のみから形成されてもよく、基本4成分に加えて基本4成分とは異なる成分（「他の成分」という）を含んでいてもよい。以下、「基本4成分」、「他の成分」と表記する。他の成分の詳細については後述する。本発明の組成物は、前記混合物のみから構成されてもよく、前記混合物に加えて後述する冷凍機油などの任意の添加剤を添加して構成されてもよい。
【００２４】
前記混合物が他の成分を含む場合には、基本4成分の機能を阻害しない程度の量であることが好ましい。当該観点からは、混合物中の他の成分の含有量は0.5重量%以下が好ましく、0.3重量%以下がより好ましく、0.1重量%以下が特に好ましい。
【００２５】
フッ素化炭化水素の混合物
本発明で用いるフッ素化炭化水素の混合物は、ジフルオロメタン（R32）、ペンタフルオロエタン（R125）、1,1,1,2-テトラフルオロエタン（R134a）及び2,3,3,3-テトラフルオロプロペン（1234yf）を含む。以下、基本4成分の濃度の違いにより、形態1-1、形態1-2、形態1-3（下位概念として形態1-3-Aを有する）、形態1-4（下位概念として形態1-4-Aを有する）、及び形態1-5（下位概念として形態1-5-Aを有する）に分けて説明する。
【００２６】
（形態1-1）
第一の形態の一実施形態（形態1-1）においては、前記混合物は、R32、R125、1234yf及びR134aの濃度の総和を100重量%、R32の濃度をx重量%とするとき、R125、1234yf及（1）-1  14.1重量%＞x≧8.8重量%であり、
（2）-2  R125、1234yf及び134aの濃度（R125の濃度（重量%）／1234yfの濃度（重量%）／134aの濃度（重量%））が、
点G(100-R32-1234yf-R134a/-0.0197x2-0.115x+40.237/0.0418x2-1.3349x+22.209)、
点H(0.9445x+1.3914/-0.9445x+60.509/100-R32-1234yf-R134a)、
点I(0/0.0577x2-4.1895x+61.098/100-R32-1234yf-R134a)、
点N(0/0/100-x)、及び
点D(100-R32-1234yf-R134a/0/-1.3383x+89.381)
を頂点とする五角形の範囲に含まれる組成比を有する混合物１、
（1）-2  18.1重量%＞x≧14.1重量%であり、
（2）-2  R125、1234yf及び134aの濃度（R125の濃度（重量%）／1234yfの濃度（重量%）／134aの濃度（重量%））が、
点G(100-R32-1234yf-R134a/0.0125x2-0.9275x+45.293/-0.425x+17.709)、
点H(0.9000x+2.010/-0.9250x+60.226/100-R32-1234yf-R134a)、
点I(0/0.050x2-4.01x+60.1/100-R32-1234yf-R134a)、
点N(0/0/100-x)、及び
点D(100-R32-1234yf-R134a/0/-1.325x+89.199)
を頂点とする五角形の範囲に含まれる組成比を有する混合物２、
（1）-3  20.0重量%＞x≧18.1重量%であり、
（2）-3  R125、1234yf及び134aの濃度（R125の濃度（重量%）／1234yfの濃度（重量%）／134aの濃度（重量%））が、
点G(100-R32-1234yf-R134a/-0.5769x+43.053/-0.4231x+17.6473)、
点H(0.9505x+1.1112/-0.8956x+59.706/100-R32-1234yf-R134a)、
点I(0/-2.0549x+41.083/100-R32-1234yf-R134a)、
点N(0/0/100-x)、及び
点D(100-R32-1234yf-R134a/0/-1.3187x+89.053)
を頂点とする五角形の範囲に含まれる組成比を有する混合物３、
（1）-4  22.6重量%＞x≧20.0重量%であり、
（2）-4  R125、1234yf及び134aの濃度（R125の濃度（重量%）／1234yfの濃度（重量%）／134aの濃度（重量%））が、
点G(100-R32-1234yf-R134a/-0.5000x+41.5/-0.4606x+18.396)、
点H(0.7697x+4.698/-0.9232x+60.267/100-R32-1234yf-R134a)、
点I(1.0374x-20.729/0/100-R32-1234yf-R134a)、及び
点D(100-R32-1234yf-R134a/0/-0.0092x2-0.956x+85.484)
を頂点とする四角形の範囲に含まれる組成比を有する混合物４、
（1）-5  25.4重量%＞x≧22.6重量%であり、
（2）-5  R125、1234yf及び134aの濃度（R125の濃度（重量%）／1234yfの濃度（重量%）／134aの濃度（重量%））が、
点G(100-R32-1234yf-R134a/-0.5372x+42.328/-0.4291x+17.693)、
点H(0.75x+5.15/-0.9291x+60.393/100-R32-1234yf-R134a)、
点I(0.9662x-19.12/0/100-R32-1234yf-R134a)、及び
点D(100-R32-1234yf-R134a/0/-1.3209x+89.057)
を頂点とする四角形の範囲に含まれる組成比を有する混合物５、並びに
（1）-6  27.3重量%≧x≧25.4重量%であり、
（2）-6  R125、1234yf及び134aの濃度（R125の濃度（重量%）／1234yfの濃度（重量%）／134aの濃度（重量%））が、
点G(100-R32-1234yf-R134a/-0.4725x+40.708/-0.5275x+20.192)、
点H(0.7363x+5.496/-0.9505x+60.928/100-R32-1234yf-R134a)、
点I(x-20.0/0/100-R32-1234yf-R134a)、及び
点D(100-R32-1234yf-R134a/0/-1.3681x;90.252)
を頂点とする四角形の範囲に含まれる組成比を有する混合物６、
からなる群から選択される少なくとも一種を含有する。
【００２７】
このような混合物（混合物１〜６の少なくとも一種）であることは、GWPの低減及びASHRAE不燃の性能確保の観点から好ましい。
【００２８】
（形態1-2）
第一の形態の一実施形態（形態1-2）においては、前記混合物は、R32、R125、1234yf及びR134aの濃度の総和を100重量%、R32の濃度をx重量%とするとき、R125、1234yf及びR134aの濃度の総和が（100-x）重量%で示される3成分組成図において、
（1）-1  14.1重量%＞x≧8.8重量%であり、
（2）-2  R125、1234yf及び134aの濃度（R125の濃度（重量%）／1234yfの濃度（重量%）／134aの濃度（重量%））が、
点G’(100-R32-1234yf-R134a/-0.0245x2+0.0147x+38.771/0.0515x2-1.5942x+24.942)、
点H’(0.9445x+1.3914/-0.9445x+60.509/100-R32-1234yf-R134a)、
点I’(0/0.0577x2-4.1895x+61.098/100-R32-1234yf-R134a)、
点N(0/0/100-x)、及び
点D(100-R32-1234yf-R134a/0/-1.3383x+89.381)
を頂点とする五角形の範囲に含まれる組成比を有する混合物１、
（1）-2  18.1重量%＞x≧14.1重量%であり、
（2）-2  R125、1234yf及び134aの濃度（R125の濃度（重量%）／1234yfの濃度（重量%）／134aの濃度（重量%））が、
点G’(100-R32-1234yf-R134a/-0.55x+41.855/-0.4x+18.34)、
点H’(0.9000x+2.010/-0.9250x+60.226/100-R32-1234yf-R134a)、
点I’(0/0.050x2-4.01x+60.1/100-R32-1234yf-R134a)、
点N(0/0/100-x)、及び
点D(100-R32-1234yf-R134a/0/-1.325x+89.199)
を頂点とする五角形の範囲に含まれる組成比を有する混合物２、
（1）-3  20.0重量%＞x≧18.1重量%であり、
（2）-3  R125、1234yf及び134aの濃度（R125の濃度（重量%）／1234yfの濃度（重量%）／134aの濃度（重量%））が、
点G’(100-R32-1234yf-R134a/-0.5275x+41.441/-0.4176x+18.676)、
点H’(0.9505x+1.1112/-0.8956x+59.706/100-R32-1234yf-R134a
点I’(0/-2.0549x+41.083/100-R32-1234yf-R134a)、及び
点D(100-R32-1234yf-R134a/0/-1.3187x+89.053)
を頂点とする四角形の範囲に含まれる組成比を有する混合物３、
（1）-4  22.6重量%＞x≧20.0重量%であり、
（2）-4  R125、1234yf及び134aの濃度（R125の濃度（重量%）／1234yfの濃度（重量%）／134aの濃度（重量%））が、
点G’(100-R32-1234yf-R134a/-0.4626x+40.171/-0.5374x+21.029)、
点H’(0.8071ｘ+5.0693/-0.9232x+60.267/100-R32-1234yf-R134a)、
点I’(1.0374x-20.729/0/100-R32-1234yf-R134a)、及び  
点D(100-R32-1234yf-R134a/0/-0.0092x2-0.956x+85.484)
を頂点とする四角形の範囲に含まれる組成比を有する混合物４、
（1）-5  25.4重量%＞x≧22.6重量%であり、
（2）-5  R125、1234yf及び134aの濃度（R125の濃度（重量%）／1234yfの濃度（重量%）／134aの濃度（重量%））が、
点G’(100-R32-1234yf-R134a/-0.5709x+42.607/-0.4291x+18.593)、
点H’(0.7534x+5.102/-0.9291x+60.393/100-R32-1234yf-R134a)、
点I’(0.9662x-19.12/0/100-R32-1234yf-R134a)、及び
点D(100-R32-1234yf-R134a/0/-1.3209x+89.057)
を頂点とする四角形の範囲に含まれる組成比を有する混合物５、並びに
（1）-6  27.3重量%≧x≧25.4重量%であり、
（2）-6  R125、1234yf及び134aの濃度（R125の濃度（重量%）／1234yfの濃度（重量%）／134aの濃度（重量%））が、
点G’(100-R32-1234yf-R134a/-0.4725x+40.108/-0.4725x+19.708)、
点H’(0.7363x+5.496/-0.9505x+60.928/100-R32-1234yf-R134a)、
点I’(x-20.0/0/100-R32-1234yf-R134a)、及び
点D(100-R32-1234yf-R134a/0/-1.3681x+90.252)
を頂点とする四角形の範囲に含まれる組成比を有する混合物６、
からなる群から選択される少なくとも一種を含有する。
【００２９】
このような混合物（混合物１〜６の少なくとも一種）であることは、GWPの低減及びASHRAE不燃の性能確保（更に安全率を考慮）の観点から好ましい。
【００３０】
（形態1-3）
第一の形態の一実施形態（形態1-3）においては、前記混合物は、R32、R125、1234yf及びR134aの濃度の総和を100重量%、R32の濃度をx重量%とするとき、R125、1234yf及びR134aの濃度の総和が（100-x）重量%で示される3成分組成図において、
（1）-1  14.1重量%＞x≧8.8重量%であり、
（2）-1  R125、1234yf及び134aの濃度（R125の濃度（重量%）／1234yfの濃度（重量%）／134aの濃度（重量%））が、
点B(-2.6617x+62.719/-0.0287x2+1.4115x+26.8/100-R32-R125-1234yf)、
点C(0.0674x2-3.4488x+64.431/0.0947x2-5.3947x+77.141/100-R32-R125-1234yf)、
点F(0.0605x2-3.1207x+55.079/0.0867x2-4.9674x+63.896/100-R32-R125-1234yf)、及び
点E(0.02x2-3.2514x+57.661/-0.0028x2+0.9312x+33.219/100-R32-R125-1234yf)
を頂点とする三角形又は四角形の範囲に含まれる組成比を有する混合物１、
（1）-2  16.8重量%＞x≧14.1重量%であり、
（2）-2  R125、1234yf及び134aの濃度（R125の濃度（重量%）／1234yfの濃度（重量%）／134aの濃度（重量%））が、
点B(0.0714x2-4.804x+78.742/0.8508x+29.005/100-R32-R125-1234yf)、
点C(0.0714x2-3.7149x+67.365/0.8508x+29.005/100-R32-R125-1234yf)、
点F(0.0357x2-2.4766x+50.924/-2.4477x+45.616/100-R32-R125-1234yf)、 
点E(0.1071x2-4.6838x+60.544/0.3929x2-18.065x+222.41/100-R32-R125-1234yf)、及び
点H’(0.9000x+2.010/-0.9250x+60.226/100-R32-1234yf-R134a)
を頂点とする四角形又は五角形の範囲に含まれる組成比を有する混合物２、
（1）-3  18.8重量%＞x≧16.8重量%であり、
（2）-3  R125、1234yf及び134aの濃度（R125の濃度（重量%）／1234yfの濃度（重量%）／134aの濃度（重量%））が、
点B(0.1305x2-5.942x+81.197/0.4948x2-23.267x+294.53/100-R32-R125-1234yf)、
点C(0.0785x2-4.1072x+71.965/0.1365x2-7.218x+95.433/100-R32-R125-1234yf)、
点F(0.0105x2-1.6128x+43.512/0.0724x2-4.8312x+65.229/100-R32-R125-1234yf)、及び、
点E(0.1139x2-5.0532x+64.849/0.3892x2-18.658x+233.4/100-R32-R125-1234yf)
を頂点とする四角形の範囲に含まれる組成比を有する混合物３、
（1）-4  22.5重量%＞x≧18.8重量%であり、
（2）-4  R125、1234yf及び134aの濃度（R125の濃度（重量%）／1234yfの濃度（重量%）／134aの濃度（重量%））が、
点B(0.0396x2-2.5301x+49.164/0.1783x2-11.669x+188.29/100-R32-R125-1234yf)、
点C(0.0199x2-1.9819x+52.725/0.0592x2-4.6129x+73.8/100-R32-R125-1234yf)、
点Dは、
20.0重量%＞x≧18.8重量%のときは、
点D(100-R32-1234yf-R134a/0/-1.3187x+89.053)
22.5重量%＞x≧20.0重量%のときは、
点D(100-R32-1234yf-R134a/0/-0.0092x2-0.956x+85.484)
点Fは、
19.7重量%＞x≧18.8重量%のときは、
点F(-2x+54.5/0/100-R32-R125-1234yf)
22.5重量%＞x≧19.7重量%のときは、
点F(-1.9698ｘ+53.892/0/100-R32-R125-1234yf)、及び
点E (0.0399x2-2.4292x+41.652/0.1589x2-10.485x+161.15/100-R32-R125-1234yf)
を頂点とする四角形又は五角形の範囲に含まれる組成比を有する混合物４、
（1）-5  24.2重量%＞x≧22.5重量%であり、
（2）-5  R125、1234yf及び134aの濃度（R125の濃度（重量%）／1234yfの濃度（重量%）／134aの濃度（重量%））が、
点B(0.0251x2-1.8786x+41.842/0.1176x2-9.1887x+163.2/100-R32-R125-1234yf)、
点C(0.011x2-2.409x+66.822/0/100-R32-R125-1234yf)、
点F(-1.9412x+53.276/0/100-R32-R125-1234yf)、及び
点E(-0.5882x+20.435/-3.3529x+81.141/100-R32-R125-1234yf)
を頂点とする四角形の範囲に含まれる組成比を有する混合物５、並びに
（1）-6  27.3重量%≧x≧24.2重量%であり、
（2）-6  R125、1234yf及び134aの濃度（R125の濃度（重量%）／1234yfの濃度（重量%）／134aの濃度（重量%））が、
点B(0.0251x2-1.8786x+41.842/0.1176x2-9.1887x+163.2/100-R32-R125-1234yf)、
点C(0.011x2-2.409x+66.822/0/100-R32-R125-1234yf)、及び
点I’は、
25.4重量%＞x≧24.2重量%のときは、
点I’(0.9662x-19.12/0/100-R32-1234yf-R134a)
27.3重量%≧x≧25.4重量%のときは、
点I’(x-20.0/0/100-R32-1234yf-R134a)
を頂点とする三角形の範囲に含まれる組成比を有する混合物６、
からなる群から選択される少なくとも一種を含有する。
【００３１】
このような混合物（混合物１〜６の少なくとも一種）であることは、GWPの低減、ASHRAE不燃の性能確保（更に安全率を考慮）及びR22に対する同等の圧縮機出口圧力（R22レトロフィット）の観点から好ましい。
（形態1-3-A）
また、形態1-3の下位概念として、形態1-3-Aにおいては、前記混合物は、R32、R125、1234yf及びR134aの濃度の総和を100重量%、R32の濃度をx重量%とするとき、R125、1234yf及びR134aの濃度の総和が（100-x）重量%で示される3成分組成図において、
（1）-1  14.8重量%＞x≧8.8重量%であり、
（2）-1  R125、1234yf及び134aの濃度（R125の濃度（重量%）／1234yfの濃度（重量%）／134aの濃度（重量%））が、
点B’(-0.0581x2-3.121x+57.068/0.0854x2-5.0132x+67.006/100-R32-R125-1234yf)、
点C’(0.0667x2-3.4034x+62.381/0.0948x2-5.3674x+74.488/100-R32-R125-1234yf)、
点F’(-0.0581x2-3.121x+57.068/0.0854x2-5.0132x+67.006/100-R32-R125-1234yf)、及び
点E’(0.0217x2-3.2646x+59.951/-0.0101x2+1.0851x+31.333/100-R32-R125-1234yf)
を頂点とする四角形の範囲に含まれる組成比を有する混合物１、
（1）-2  16.1重量%＞x≧14.8重量%であり、
（2）-2  R125、1234yf及び134aの濃度（R125の濃度（重量%）／1234yfの濃度（重量%）／134aの濃度（重量%））が、
点B’(-2.6154x+59.708/0.8462x+30.277/100-R32-R125-1234yf)、
点C’(6.1538x-74.477/-2.6154x+54.508/100-R32-R125-1234yf)、
点F’(-1.4615x+45.231/-2.5385x+49.069/100-R32-R125-1234yf)、
点E’(-1.5385x+39.169/-6.4615x+140.83/100-R32-R125-1234yf)、及び
点H’(0.9000x+2.010/-0.9250x+60.226/100-R32-1234yf-R134a)
を頂点とする五角形の範囲に含まれる組成比を有する混合物２、
（1）-3  19.7重量%＞x≧16.1重量%であり、
2）-3  R125、1234yf及び134aの濃度（R125の濃度（重量%）／1234yfの濃度（重量%）／134aの濃度（重量%））が、
点B’(0.0737x2-3.8287x+60.117/0.2581x2-14.557x+211.39/100-R32-R125-1234yf)、
点C’(0.0139x2-1.78x+49.676/0.0342x2-3.5636x+60.914/100-R32-R125-1234yf)、
点F’(0.0288x2-2.2531x+50.499/0.0163x2-2.8565x+49.937/100-R32-R125-1234yf)、及び
点E’(0.0557x2-3.0403x+48.901/0.2082x2-12.372x+182.02/100-R32-R125-1234yf)、
を頂点とする四角形の範囲に含まれる組成比を有する混合物３、
（1）-4  21.6重量%＞x≧19.7重量%であり、
（2）-4  R125、1234yf及び134aの濃度（R125の濃度（重量%）／1234yfの濃度（重量%）／134aの濃度（重量%））が、
点B’(-0.8421x+29.889/-4.2105x+107.75/100-R32-R125-1234yf)、
点C’(-1.1053x+41.774/-2.1053x+45.474/100-R32-R125-1234yf)、
点Dは、
20.0重量%＞x≧19.7重量%では、
点D(100-R32-1234yf-R134a/0/-1.3187x+89.053)
21.6重量%＞x≧20.0重量%では、
点D(100-R32-1234yf-R134a/0/-0.0092x2-0.956x+85.484)
点F’(0.0049x2-2.1762x+58.247/0/100-R32-R125-1234yf)、及び
点E’(0.0232x2-1.7329x+35.717/0.1309x2-9.4562x+154.58/100-R32-R125-1234yf)
を頂点とする五角形の範囲に含まれる組成比を有する混合物４、
（1）-5  25.0重量%＞x≧21.6重量%であり、
（2）-5  R125、1234yf及び134aの濃度（R125の濃度（重量%）／1234yfの濃度（重量%）／134aの濃度（重量%））が、
点B’(0.0313x2-2.1315x+43.111/0.1014x2-8.2924x+148.62/100-R32-R125-1234yf)、
点C’(-0.0217x2-0.9308x+48.116/0/100-R32-R125-1234yf)、
点F’(0.0049x2-2.1762x+58.247/0/100-R32-R125-1234yf)、及び
点E’(0.0232x2-1.7329x+35.717/0.1309x2-9.4562x+154.58/100-R32-R125-1234fy)
を頂点とする四角形の範囲に含まれる組成比を有する混合物５、並びに
（1）-6  26.5重量%≧x≧25.0重量%であり、
（2）-6  R125、1234yf及び134aの濃度（R125の濃度（重量%）／1234yfの濃度（重量%）／134aの濃度（重量%））が、
点B’(-0.6x+24.4/-3.1333x+83.033/100-R32-R125-1234yf)、
点C’(-1.8667x+57.967/0/100-R32-R125-1234yf)、及び
点I’は、
25.4重量%＞x≧25.0重量%では、
点I’(0.9662x-19.12/0/100-R32-1234yf-R134a)、
26.5重量%＞x≧25.4重量%では、
点I’(x-20.0/0/100-R32-1234yf-R134a)
を頂点とする点又は三角形の範囲に含まれる組成比を有する混合物６、
からなる群から選択される少なくとも一種を含有する。
【００３２】
このような混合物（混合物１〜６の少なくとも一種）であることは、GWPの低減、ASHRAE不燃の性能確保（更に安全率を考慮）及びR22に対する同等の圧縮機出口圧力（R22レトロフィット）の観点から好ましい。
【００３３】
（形態1-4）
第一の形態の一実施形態（形態1-4）においては、前記混合物は、R32、R125、1234yf及びR134aの濃度の総和を100重量%、R32の濃度をx重量%とするとき、R125、1234yf及びR134aの濃度の総和が（100-x）重量%で示される3成分組成図において、
（1）-1  16.6重量%＞x≧12.7重量%であり、
（2）-1  R125、1234yf及び134aの濃度（R125の濃度（重量%）／1234yfの濃度（重量%）／134aの濃度（重量%））が、
点G’は、
14.1重量%＞x≧12.7重量%のときは、
点G’(100-R32-1234yf-R134a/-0.0245x2+0.0147x+38.771/0.0515x2-1.5942x+24.942)、
16.6重量%＞x≧14.1重量%のときは、
点G’(100-R32-1234yf-R134a/-0.55x+41.855/-0.4x+18.34)
点L  (-0.0492x2-1.686x+68.551/0.0446x2-0.308x+31.712/100-R32-R125-1234yf)、及び
点M  (0.008x2-2.2604x+66.615/-0.0137x2-2.9821x+74.989/100-R32-R125-1234yf)
を頂点とする点又は三角形の範囲に含まれる組成比を有する混合物１、
（1）-2  18.6重量%＞x≧16.6重量%であり、
（2）-2  R125、1234yf及び134aの濃度（R125の濃度（重量%）／1234yfの濃度（重量%）／134aの濃度（重量%））が、
点G’は、
18.1重量%＞x≧16.6重量%のときは、
点G’(100-R32-1234yf-R134a/-0.55x+41.855/-0.4x+18.34)、
18.6重量%＞x≧18.1重量%のときは、
点G’(100-R32-1234yf-R134a/-0.4725x+40.108/-0.4725x+19.708)、
点L(-0.1236x2+1.0174x+44.174/0.1557x2-4.1979x+65.676/100-R32-R125-1234yf)、及び
点M(0.1038x2-5.4653x+93.417/0.1482x2-8.2741x+118.21/100-R32-R125-1234yf)
を頂点とする三角形の範囲に含まれる組成比を有する混合物２、
（1）-3  18.7重量%＞x≧18.6重量%であり、
（2）-3  R125、1234yf及び134aの濃度（R125の濃度（重量%）／1234yfの濃度（重量%）／134aの濃度（重量%））が、
点G’(100-R32-1234yf-R134a1/-0.4725x+40.108/-0.4725x+19.708)、
点L  (-0.1236x2+1.0174x+44.174/0.1557x2-4.1979x+65.676/100-R32-R125-1234yf)、
点Y  (-1.9949x2+75.281x-685.87/2.5224x2-95.07x+915.66/100-R32-R125-1234yf)、及び
点R  (0.0523x2-0.5865x+20.487/0.0654x2-0.9831x+11.234/100-R32-R125-1234yf)、
を頂点とする四角形の範囲に含まれる組成比を有する混合物３、
（1）-4  20.8重量%＞x≧18.7重量%であり、
（2）-4  R125、1234yf及び134aの濃度（R125の濃度（重量%）／1234yfの濃度（重量%）／134aの濃度（重量%））が、
点G’、点H’は、
20.0重量%＞x≧18.7重量%のときは、
点G’(100-R32-1234yf-R134a/-0.4725x+40.108/-0.4725x+19.708)、
点H’(0.9505x+1.1112/-0.8956x+59.706/100-R32-1234yf-R134a)
20.8重量%＞x≧20.0重量%のときは、
点G’(100-R32-1234yf-R134a/-0.4626x+40.171/-0.5374x+21.029)、
点H’(0.8071ｘ+5.0693/-0.9232x+60.267/100-R32-1234yf-R134a)、
点L(0.1057x2-5.6028x+87.817/0.2718x2-16.4x+253.22/100-R32-R125-1234yf)、
点Y (-1.9949x2+75.281x-685.87/2.5224x2-95.07x+915.66/100-R32-R125-1234yf)、及び
点Rは、
20.4重量%＞x≧18.7重量%のときは、
点R  (0.0523x2-0.5865x+20.487/0.0654x2-0.9831x+11.234/100-R32-R125-1234yf)、
20.8重量%＞x≧20.4重量%のときは、
点R  (-0.03x2+2.6154x-10.573/-0.0418x2+3.2371x-30.177/100-R32-R125-1234yf)、
を頂点とする五角形の範囲に含まれる組成比を有する混合物４、
（1）-5  25.6重量%＞x≧20.8重量%であり、
（2）-5  R125、1234yf及び134aの濃度（R125の濃度（重量%）／1234yfの濃度（重量%）／134aの濃度（重量%））が、
点G’、点H’は、
22.6重量%＞x≧20.8重量%のときは、
点G’(100-R32-1234yf-R134a/-0.4626x+40.171/-0.5374x+21.029)、
点H’(0.8071ｘ+5.0693/-0.9232x+60.267/100-R32-1234yf-R134a)、
25.4重量%＞x≧22.6重量%のときは、
点G’(100-R32-1234yf-R134a/-0.5709x+42.607/-0.4291x+18.593)、
点H’(0.7534x+5.102/-0.9291x+60.393/100-R32-1234yf-R134a)、
25.6重量%＞x≧25.4重量%のときは、
点G’(100-R32-1234yf-R134a/-0.4725x+40.108/-0.4725x+19.708)、
点H’(0.7363x+5.496/-0.9505x+60.928/100-R32-1234yf-R134a)、
点Q、点Rは、
21.8重量%＞x≧20.8重量%のときは、
点Q(-0.2929x2+14.203x-151.75/-0.8412x2+36.769x-371.19/100-R32-R125-1234yf)、
点R(-0.03x2+2.6154x-10.573/-0.0418x2+3.2371x-30.177/100-R32-R125-1234yf)、
25.6重量%＞x≧21.8重量%のときは、
点Q(-0.0078x2+2.2066x-25.686/-0.0471x2+3.4143x-21.435/100-R32-R125-1234yf)、
点R(-0.0365x2+2.9381x-14.607/-0.0152x2+1.9858x-15.652/100-R32-R125-1234yf)、
を頂点とする三角形又は四角形の範囲に含まれる組成比を有する混合物５、
（1）-6  27.3重量%≧x≧25.6重量%であり、
（2）-6  R125、1234yf及び134aの濃度（R125の濃度（重量%）／1234yfの濃度（重量%）／134aの濃度（重量%））が、
点G’(100-R32-1234yf-R134a/-0.4725x+40.108/-0.4725x+19.708)、
点Q (7.7059x-171.67/-16.647x+461.26/100-R32-R125-1234yf)、及び
点R(1.1765x+6.5824/-10.824x+302.28/100-R32-R125-1234yf)
を頂点とする点又は三角形の範囲に含まれる組成比を有する混合物６、
からなる群から選択される少なくとも一種を含有する組成物。
【００３４】
このような混合物（混合物１〜６の少なくとも一種）であることは、GWPの低減、ASHRAE不燃の性能確保（更に安全率を考慮）、R404Aと同等の冷凍能力の発揮、及び冷凍サイクルでの圧縮機出口温度の低減の観点から好ましい。
（形態1-4-A）
また、形態1-4の下位概念として、形態1-4-Aにおいては、前記混合物は、
（1）-1  19.6重量%＞x≧15.9重量%であり、
（2）-1  R125、1234yf及び134aの濃度（R125の濃度（重量%）／1234yfの濃度（重量%）／134aの濃度（重量%））が、
点G’は、
18.1重量%＞x≧15.9重量%のときは、
点G’(100-R32-1234yf-R134a/-0.5709x+42.607/-0.4291x+18.593)、
19.6重量%＞x≧18.1重量%のときは、
点G’(100-R32-1234yf-R134a/-0.4725x+40.108/-0.4725x+19.708)、
点O(0.0227x2-4.0079x+97.028/-0.005x2+1.3141x+13.458/100-R32-R125-1234yf)、
点P(0.0625x2-4.163x+89.38/0.0875x2-6.3714x+112.26/100-R32-R125-1234yf)
を頂点とする三角形の範囲に含まれる組成比を有する混合物１、
（1）-2  20.4重量%＞x≧19.6重量%であり、
（2）-2  R125、1234yf及び134aの濃度（R125の濃度（重量%）／1234yfの濃度（重量%）／134aの濃度（重量%））が、
点G’は、
20.0重量%＞x≧19.6重量%重量%のときは、
点G’(100-R32-1234yf-R134a/-0.4725x+40.108/-0.4725x+19.708)、
20.4重量%＞x≧20.0重量%のときは、
点G’(100-R32-1234yf-R134a/-0.4626x+40.171/-0.5374x+21.029)、
点O(0.142x2-8.9159x+147.38/-0.1705x2+8.2091x-58.118/100-R32-R125-1234yf)、
点P(0.2131x2-10.374x+153.27/0.3409x2-16.918x+221.64/100-R32-R125-1234yf)、
を頂点とする三角形の範囲に含まれる組成比を有する混合物２、
（1）-3  21.2重量%＞x≧20.4重量%であり、
（2）-3  R125、1234yf及び134aの濃度（R125の濃度（重量%）／1234yfの濃度（重量%）／134aの濃度（重量%））が、
点G’(100-R32-1234yf-R134a/-0.4626x+40.171/-0.5374x+21.029)、
点O(0.142x2-8.9159x+147.38/-0.1705x2+8.2091x-58.118/100-R32-R125-1234yf)、
点Z(-0.4631x2+15.324x-89.572/-0.5325x2-16.852x+140.58/100-R32-R125-1234yf)、及び、
点R(-0.0835x2+4.8254x-33.399/-0.1022x2+5.7453x-56.277/100-R32-R125-1234yf)
を頂点とする四角形の範囲に含まれる組成比を有する混合物３、
（1）-4  22.6重量%＞x≧21.2重量%であり、
（2）-4  R125、1234yf及び134aの濃度（R125の濃度（重量%）／1234yfの濃度（重量%）／134aの濃度（重量%））が、
点G’(100-R32-1234yf-R134a/-0.4626x+40.171/-0.5374x+21.029)、
点H’(0.8071ｘ+5.0693/-0.9232x+60.267/100-R32-1234yf-R134a)
点O (0.0893x2-5.3393x+95.264/0.2976x2-18.464x+296.98/100-R32-R125-1234yf)、
点Z(-0.4631x2+15.324x-89.572/-0.5325x2-16.852x+140.58/100-R32-R125-1234yf)、及び
点R(-0.0835x2+4.8254x-33.399/-0.1022x2+5.7453x-56.277/100-R32-R125-1234yf)
を頂点とする五角形の範囲に含まれる組成比を有する混合物４、
（1）-5  25.6重量%＞x≧22.6重量%であり、
（2）-5  R125、1234yf及び134aの濃度（R125の濃度（重量%）／1234yfの濃度（重量%）／134aの濃度（重量%））が、
点G’、 点H’は
25.4重量%＞x≧22.6重量%のときは、
点G’(100-R32-1234yf-R134a/-0.5709x+42.607/-0.4291x+18.593)、
点H’(0.7534x+5.102/-0.9291x+60.393/100-R32-1234yf-R134a)
25.6重量%＞x≧25.4重量%のときは、
点G’(100-R32-1234yf-R134a/-0.4725x+40.108/-0.4725x+19.708)、
点H’(0.7363x+5.496/-0.9505x+60.928/100-R32-1234yf-R134a)、
点Q(-0.0078x2+2.2066x-25.686/-0.0471x2+3.4143x-21.435/100-R32-R125-1234yf)、及び
点R(-0.0365x2+2.9381x-14.607/-0.0152x2+1.9858x-15.652/100-R32-R125-1234yf)、
を頂点とする四角形の範囲に含まれる組成比を有する混合物５、
（1）-6  27.3重量%≧x≧25.6重量%であり、
（2）-6  R125、1234yf及び134aの濃度（R125の濃度（重量%）／1234yfの濃度（重量%）／134aの濃度（重量%））が、
点G’(100-R32-1234yf-R134a/-0.4725x+40.108/-0.4725x+19.708)、
点Q (7.7059x-171.67/-16.647x+461.26/100-R32-R125-1234yf)、及び
点R(1.1765x+6.5824/-10.824x+302.28/100-R32-R125-1234yf)
を頂点とする三角形の範囲に含まれる組成比を有する混合物６、
からなる群から選択される少なくとも一種を含有する。
【００３５】
このような混合物（混合物１〜６の少なくとも一種）であることは、GWPの低減、ASHRAE不燃の性能確保（更に安全率を考慮）、R404Aと同等の冷凍能力の発揮（形態1-4よりも高い冷凍能力）、及び冷凍サイクルでの圧縮機出口温度の低減の観点から好ましい。
【００３６】
（形態1-5）
第一の形態の一実施形態（形態1-5）においては、前記混合物は、R32、R125、1234yf及びR134aの濃度の総和を100重量%、R32の濃度をx重量%とするとき、R125、1234yf及びR134aの濃度の総和が（100-x）重量%で示される3成分組成図において、
（1）-1  18.1重量%＞x≧16.6重量%であり、
（2）-1  R125、1234yf及び134aの濃度（R125の濃度（重量%）／1234yfの濃度（重量%）／134aの濃度（重量%））が、
点T  (-0.0107x2+0.5345x+25.331/-0.006x2+0.02x+23.019/100-R32-R125-1234yf)、
点M  (0.1038x2-5.4653x+93.417/0.1482x2-8.2741x+118.21/100-R32-R125-1234yf)、及び
点V  (-0.38x2+7.0542x+18.925/0.7958x2-14.947x+50.53/100-R32-R125-1234yf)
を頂点とする点又は三角形に含まれる組成比を有する混合物１、
（1）-2  18.6重量%＞x≧18.1重量%であり、
（2）-2  R125、1234yf及び134aの濃度（R125の濃度（重量%）／1234yfの濃度（重量%）／134aの濃度（重量%））が、
点S  (0.0678x2-2.1697x+39.158/-0.0223x2-0.0437x+50.421/100-R32-R125-1234yf)、
点T  (-0.006x2+0.417x+25.928/0.0167x2-0.8974x+32.141/100-R32-R125-1234yf)、
点M  (0.1038x2-5.4653x+93.417/0.1482x2-8.2741x+118.21/100-R32-R125-1234yf)、及び
点L  (-0.1236x2+1.0174x+44.174/0.1557x2-4.1979x+65.676/100-R32-R125-1234yf)
を頂点とする三角形又は四角形の範囲に含まれる組成比を有する混合物２、
（1）-3  18.7重量%＞x≧18.6重量%であり、
（2）-3  R125、1234yf及び134aの濃度（R125の濃度（重量%）／1234yfの濃度（重量%）／134aの濃度（重量%））が、
点S(0.0678x2-2.1697x+39.158/-0.0223x2-0.0437x+50.421/100-R32-R125-1234yf)、
点T(-0.006x2+0.417x+25.928/0.0167x2-0.8974x+32.141/100-R32-R125-1234yf)、
点R(0.0523x2-0.5865x+20.487/0.0654x2-0.9831x+11.234/100-R32-R125-1234yf)、
点Y(-1.9949x2+75.281x-685.87/2.5224x2-95.07x+915.66/100-R32-R125-1234yf)、及び、
点L(-0.1236x2+1.0174x+44.174/0.1557x2-4.1979x+65.676/100-R32-R125-1234yf)
を頂点とする四角形又は五角形の範囲に含まれる組成比を有する混合物３、
（1）-4  20.8重量%＞x≧18.7重量%であり、
（2）-4  R125、1234yf及び134aの濃度（R125の濃度（重量%）／1234yfの濃度（重量%）／134aの濃度（重量%））が、
点S(0.0678x2-2.1697x+39.158/-0.0223x2-0.0437x+50.421/100-R32-R125-1234yf)、
点T(-0.006x2+0.417x+25.928/0.0167x2-0.8974x+32.141/100-R32-R125-1234yf)、 
点Rは、
20.4重量%＞x≧18.7重量%のときは、
点R(0.0523x2-0.5865x+20.487/0.0654x2-0.9831x+11.234/100-R32-R125-1234yf)、
20.8重量%＞x≧20.4重量%のときは、
点R(-0.0835x2+4.8254x-33.399/-0.1022x2+5.7453x-56.277/100-R32-R125-1234yf) 
点Y(-1.9949x2+75.281x-685.87/2.5224x2-95.07x+915.66/100-R32-R125-1234yf)
点L (0.1057x2-5.6028x+87.817/0.2718x2-16.4x+253.22/100-R32-R125-1234yf)、及び
点H’は、
20.0重量%＞x≧18.7重量%のときは、
点H’(0.9505x+1.1112/-0.8956x+59.706/100-R32-1234yf-R134a)、
20.8重量%＞x≧20.0重量%のときは、
点H’(0.8071ｘ+5.0693/-0.9232x+60.267/100-R32-1234yf-R134a)、
を頂点とする五角形又は六角形の範囲に含まれる組成比を有する混合物４、
（1）-5  21.8重量%＞x≧20.8重量%であり、
（2）-5  R125、1234yf及び134aの濃度（R125の濃度（重量%）／1234yfの濃度（重量%）／134aの濃度（重量%））が、
点S(0.0366x2-1.4284x+37.268/-0.0225x2+0.3598x+41.166/100-R32-R125-1234yf)、
点T(0.0629x2-2.606x+58.972/0.045x2-2.2196x+47.368/100-R32-R125-1234yf)、
点R(-0.0835x2+4.8254x-33.399/-0.1022x2+5.7453x-56.277/100-R32-R125-1234yf)、
点Q(-0.2929x2+14.203x-151.75/-0.8412x2+36.769x-371.19/100-R32-R125-1234yf)、及び
点H’(0.8071ｘ+5.0693/-0.9232x+60.267/100-R32-1234yf-R134a)、
を頂点とする五角形の範囲に含まれる組成比を有する混合物５、
（1）-6  23.2重量%＞x≧21.8重量%であり、
（2）-6  R125、1234yf及び134aの濃度（R125の濃度（重量%）／1234yfの濃度（重量%）／134aの濃度（重量%））が、
点S(0.0366x2-1.4284x+37.268-0.0225x2+0.3598x+41.166100-R32-R125-1234yf)、
点α(-0.0609x2+0.9855x+39.5570.1273x2-1.9795x+3.0676100-R32-R125-1234yf)、及び
点Q(-0.0078x2+2.2066x-25.686-0.0471x2+3.4143x-21.435100-R32-R125-1234yf)、
点H’は、
22.6重量%＞x≧21.8重量%のときは、
点H’(0.8071ｘ+5.0693/-0.9232x+60.267/100-R32-1234yf-R134a)
23.2重量%＞x≧22.6重量%のときは、
点H’(0.7534x+5.102/-0.9291x+60.393/100-R32-1234yf-R134a)
を頂点とする三角形又は四角形の範囲に含まれる組成比を有する混合物６、並びに
（1）-7  25.4重量%≧x≧23.2重量%であり、
（2）-7  R125、1234yf及び134aの濃度（R125の濃度（重量%）／1234yfの濃度（重量%）／134aの濃度（重量%））が、
点S(-0.0358x2+2.4172x-13.013/-0.0223x2-0.0437x+50.421/100-R32-R125-1234yf)、
点α(-0.0609x2+0.9855x+39.557/0.1273x2-1.9795x+3.0676/100-R32-R125-1234yf)、及び
点Q(-0.0078x2+2.2066x-25.686/-0.0471x2+3.4143x-21.435/100-R32-R125-1234yf)
を頂点とする点又は三角形の範囲に含まれる組成比を有する混合物７、
からなる群から選択される少なくとも一種を含有する組成物。
【００３７】
このような混合物（混合物１〜７の少なくとも一種）であることは、GWPの低減、ASHRAE不燃の性能確保（更に安全率を考慮）、R404Aと同等の冷凍能力の発揮、冷凍サイクルでの圧縮機出口温度の低減、及び成績係数（COP）の向上の観点から好ましい。
（形態1-5-A）
また、形態1-5の下位概念として、形態1-5-Aにおいては、前記混合物は、
（1）-1  20.4重量%＞x≧19.6重量%であり、
（2）-1  R125、1234yf及び134aの濃度（R125の濃度（重量%）／1234yfの濃度（重量%）／134aの濃度（重量%））が、
点T(-0.006x2+0.417x+25.928/0.0167x2-0.8974x+32.141/100-R32-R125-1234yf)、
点P(0.2131x2-10.374x+153.27/0.3409x2-16.918x+221.64/100-R32-R125-1234yf)、及び
点W(-0.1565x2-0.6764x+105.19/0.9989x2-25.438x+135.86/100-R32-R125-1234yf)
を頂点とする点又は三角形の範囲に含まれる組成比を有する混合物１、
（1）-2  20.8重量%＞x≧20.4重量%であり、
（2）-2  R125、1234yf及び134aの濃度（R125の濃度（重量%）／1234yfの濃度（重量%）／134aの濃度（重量%））が、
点T(-0.006x2+0.417x+25.928/0.0167x2-0.8974x+32.141/100-R32-R125-1234yf)、
点R(-0.0835x2+4.8254x-33.399/-0.1022x2+5.7453x-56.277/100-R32-R125-1234yf)、
点Z(-0.4631x2+15.324x-89.572/-0.5325x2-16.852x+140.58/100-R32-R125-1234yf)、及び
点W(-0.1565x2-0.6764x+105.19/0.9989x2-25.438x+135.86/100-R32-R125-1234yf)
を頂点とする四角形の範囲に含まれる組成比を有する混合物２、
（1）-3  21.2重量%＞x≧20.8重量%であり、
（2）-3  R125、1234yf及び134aの濃度（R125の濃度（重量%）／1234yfの濃度（重量%）／134aの濃度（重量%））が、
点S(0.0366x2-1.4284x+37.268/-0.0225x2+0.3598x+41.166/100-R32-R125-1234yf)、
点T(-0.0107x2+0.5345x+25.331/-0.006x2+0.02x+23.019/100-R32-R125-1234yf)、
点R(-0.0835x2+4.8254x-33.399/-0.1022x2+5.7453x-56.277/100-R32-R125-1234yf)、
点Z(-0.4631x2+15.324x-89.572/-0.5325x2-16.852x+140.58/100-R32-R125-1234yf)、及び
点H’(0.8071ｘ+5.0693/-0.9232x+60.267/100-R32-1234yf-R134a)
を頂点とする五角形の範囲に含まれる組成比を有する混合物３、
（1）-4  21.8重量%＞x≧21.2重量%であり、
（2）-4  R125、1234yf及び134aの濃度（R125の濃度（重量%）／1234yfの濃度（重量%）／134aの濃度（重量%））が、
点S(0.0366x2-1.4284x+37.268/-0.0225x2+0.3598x+41.166/100-R32-R125-1234yf)、
点T(-0.0107x2+0.5345x+25.331/-0.006x2+0.02x+23.019/100-R32-R125-1234yf)、
点R(-0.0835x2+4.8254x-33.399/-0.1022x2+5.7453x-56.277/100-R32-R125-1234yf)、
点Z(-0.4631x2+15.324x-89.572/-0.5325x2-16.852x+140.58/100-R32-R125-1234yf)、
点O(0.0893x2-5.3393x+95.264/0.2976x2-18.464x+296.98/100-R32-R125-1234yf)、及び、
点H’(0.8071ｘ+5.0693/-0.9232x+60.267/100-R32-1234yf-R134a)、
を頂点とする五角形又は六角形の範囲に含まれる組成比を有する混合物４、
（1）-5  22.6重量%＞x≧21.8重量%であり、
（2）-5  R125、1234yf及び134aの濃度（R125の濃度（重量%）／1234yfの濃度（重量%）／134aの濃度（重量%））が、
点S(0.0366x2-1.4284x+37.268/-0.0225x2+0.3598x+41.166/100-R32-R125-1234yf)、
点α(-0.0609x2+0.9855x+39.557/0.1273x2-1.9795x+3.0676/100-R32-R125-1234yf)、
点Z(-0.4631x2+15.324x-89.572/-0.5325x2-16.852x+140.58/100-R32-R125-1234yf)、
点O(0.0893x2-5.3393x+95.264/0.2976x2-18.464x+296.98/100-R32-R125-1234yf)、及び
点H’(0.8071ｘ+5.0693/-0.9232x+60.267/100-R32-1234yf-R134a)、
を頂点とする五角形の範囲に含まれる組成比を有する混合物５、
（1）-6  23.2重量%＞x≧22.6重量%であり、
（2）-6  R125、1234yf及び134aの濃度（R125の濃度（重量%）／1234yfの濃度（重量%）／134aの濃度（重量%））が、
点S(0.0366x2-1.4284x+37.268/-0.0225x2+0.3598x+41.166/100-R32-R125-1234yf)、
点α(-0.0609x2+0.9855x+39.557/0.1273x2-1.9795x+3.0676/100-R32-R125-1234yf)、
点Q(-0.0078x2+2.2066x-25.686/-0.0471x2+3.4143x-21.435/100-R32-R125-1234yf)、及び
点H’(0.7534x+5.102/-0.9291x+60.393/100-R32-1234yf-R134a)、
を頂点とする四角形の範囲に含まれる組成比を有する混合物５、並びに
（1）-7  25.4重量%≧x≧23.2重量%であり、
（2）-7  R125、1234yf及び134aの濃度（R125の濃度（重量%）／1234yfの濃度（重量%）／134aの濃度（重量%））が、
点S(-0.0358x2+2.4172x-13.013/-0.0223x2-0.0437x+50.421/100-R32-R125-1234yf)、
点α(-0.0609x2+0.9855x+39.557/0.1273x2-1.9795x+3.0676/100-R32-R125-1234yf)、及び
点Q(-0.0078x2+2.2066x-25.686/-0.0471x2+3.4143x-21.435/100-R32-R125-1234yf)
を頂点とする三角形の範囲に含まれる組成比を有する混合物7、
からなる群から選択される少なくとも一種を含有する。
【００３８】
このような混合物（混合物１〜７の少なくとも一種）であることは、GWPの低減、ASHRAE不燃の性能確保（更に安全率を考慮）、R404Aと同等の冷凍能力の発揮（形態1-5よりも高い冷凍能力）、冷凍サイクルでの圧縮機出口温度の低減、及び成績係数（COP）の向上の観点から好ましい。
【００３９】
ここで、ASHRAEによる冷媒の可燃性分類について説明する。
【００４０】
ASHRAEでは、冷媒の可燃性分類はANSI/ASHRAE Standard34-2013に基づいて行われ、クラス1に分類されるものが不燃性冷媒である。つまり、本発明の組成物がASHRAE不燃であることは、本発明で用いるフッ素化炭化水素の混合物（特に基本4成分）がその可燃性分類において前記クラス1に分類されることを意味する。
【００４１】
具体的には、ANSI/ASHRAE34-2013に基づいた貯蔵、輸送、使用時の漏洩試験を行うことでWCFF (Worst case of fractionation for flammability：最も燃え易い混合組成)を特定し、WCFF組成がASTM E681-2009〔化学品（蒸気及び気体）の引火性濃度限界の標準試験法〕に基づいた試験で不燃と特定できた場合がクラス1に分類される。
【００４２】
下記にR32、R125、1234yf及びR134aの濃度の総和を100重量%、R32の濃度を22.6重量%とする場合を例示し、R125、1234yf及びR134aの濃度の総和が77.4重量%で示される3成分組成図におけるASHRAE不燃限界の特定方法を説明する。
【００４３】
3成分組成図にてASHRAE不燃限界を特定していくには、先ず可燃性冷媒（R32、1234yf）と不燃性冷媒（R134a、R125）との2元混合冷媒の不燃限界を求める必要がある。実験例1において当該2元混合冷媒の不燃限界を求めた。
【００４４】
実験例1（可燃性冷媒（R32,1234yf）と不燃性冷媒（R134a、R125）との2元混合冷媒の不燃限界）
2元混合冷媒の不燃限界は、ASTM E681-2009に基づく燃焼試験の測定装置及び測定方法に基づいて求めた。
【００４５】
具体的には、燃焼の状態が目視および録画撮影できるように内容積12リットルの球形ガラスフラスコを使用し、ガラスフラスコは燃焼により過大な圧力が発生した際には上部のふたからガスが開放されるようにした。着火方法は底部から1/3の高さに保持された電極からの放電により発生させた。試験条件は以下の通りである。
＜試験条件＞
試験容器：280 mmφ球形（内容積：12リットル）
試験温度： 60℃±3℃
圧力 ：101.3 kPa±0.7 kPa
水分 ：乾燥空気1 gにつき0.0088 ｇ±0.0005 g
2元冷媒組成物／空気混合比：1 vol.%刻み±0.2 vol.%
2元冷媒組成物混合： ±0.1 重量%
点火方法：交流放電、電圧15kV、電流30mA、ネオン変圧器
電極間隔：6.4 mm (1/4 inch)
スパーク：0.4 秒 ±0.05 秒
判定基準：
・着火点を中心に90度以上火炎が広がった場合 ＝ 燃焼(伝播)
・着火点を中心に90度未満の火炎の広がりだった場合＝ 火炎伝播なし（不燃）
その結果、可燃性冷媒R32と不燃性冷媒R134aとの混合冷媒では、R32=43.0重量%、R134a=57.0重量%から火炎伝播は認められなくなり、この組成を不燃限界とした。また、可燃性冷媒R32と不燃性冷媒R125では、R32=63.0重量%、R125=37.0重量%、可燃性冷媒1234yfと不燃性冷媒R134aでは、1234yf=62.0重量%、R134a=38.0重量%、可燃性冷媒1234yfと不燃性冷媒R125では、1234yf=79.0重量%、R125=21.0重量%からそれぞれ火炎伝播は認められなくなり、これらの組成を不燃限界とした。表１に結果をまとめた。
【００４６】
【表１】
0006384563.tif 000002
【００４７】
次に、実験例1で求めた2元混合冷媒の不燃限界に基づいてR32=22.6%の場合のASHRAE不燃限界を以下のように計算で求めた。
【００４８】
1）R32=22.6重量%、1234yf=0重量%の場合
R125+R134a=77.4重量%とし、ASHRAE不燃限界に近い混合組成におけるWCFF組成をREFPROP9.0により求めた。その結果を表2-1に示す。また、求めたWCFF組成が不燃限界組成になっているかどうかは、以下の手順で調べた。
（1）WCFFの1234yf濃度に対する不燃限界R134a濃度(重量%)＝WCFFの1234yf(重量%)×38/62=0
（2）余剰R134a濃度（重量%）=WCFFのR134a濃度(重量%)−（1）
（3）WCFFのR125濃度に対する不燃限界R32濃度(重量%)＝WCFF組成のR125濃度(重量%)×63/37
（4）（WCFFのR32濃度-（3））のR32濃度に対する不燃限界R134a濃度=（WCFFのR32濃度-（3））×57/43
ここで、（2）-（4）＞0になった組成を計算上のASHRAE不燃限界とした。
【００４９】
【表２−１】
0006384563.tif 000003
【００５０】
2) R32=22.6重量%、R134a=50.0重量%の場合（R32/R125≦1.70）
R125+1234yf=27.4重量%とし、ASHRAE不燃限界に近い混合組成におけるWCFF組成をREFPROP9.0により求めた。その結果を表2-2に示す。また、求めたWCFF組成が不燃限界組成になっているかどうかは、以下の手順で調べた。
（1）WCFFの1234yf濃度に対する不燃限界R134a濃度(重量%)＝WCFFの1234yf(重量%)×38/62
（2）余剰R134a濃度（重量%）=WCFFのR134a濃度(重量%)−（1）
（3）WCFFのR125濃度に対する不燃限界R32濃度(重量%)＝WCFF組成のR125濃度(重量%)×63/37
（4）（WCFFのR32濃度-（3））のR32濃度に対する不燃限界R134a濃度=（WCFFのR32濃度-（3））×57/43
ここで、（2）-（4）＞0になった組成を計算上のASHRAE不燃限界とした。
【００５１】
【表２−２】
0006384563.tif 000004
【００５２】
3) R32=22.6重量%、R134a=20.0重量%の場合（R32/R125≦1.70）
R125+1234yf=57.4重量%とし、ASHRAE不燃限界に近い混合組成におけるWCFF組成をREFPROP9.0により求めた。その結果を表2-3に示す。また、求めたWCFF組成が不燃限界組成になっているかどうかは、以下の手順で調べた。
（1）WCFFの1234yf濃度に対する不燃限界R134a濃度(重量%)＝WCFFの1234yf(重量%)×38/62
（2）余剰R134a濃度（重量%）=WCFFのR134a濃度(重量%)−（1）
（3）WCFFのR125濃度に対する不燃限界R32濃度(重量%)＝WCFF組成のR125濃度(重量%)×63/37
（4）（WCFFのR32濃度-（3））のR32濃度に対する不燃限界R134a濃度=（WCFFのR32濃度-（3））×57/43
ここで、（2）-（4）＞0になった組成を計算上のASHRAE不燃限界とした。
【００５３】
【表２−３】
0006384563.tif 000005
【００５４】
4)R32=22.6%、R134a=15.9%（算出WCFF変化点）
R125+R134a=61.5重量%としASHRAE不燃限界に近い混合組成におけるWCFF組成をREFPROP9.0により求めた。その結果を表2-4に示す。また、求めたWCFF組成が不燃限界組成になっているかどうかは、以下の手順で調べた。
（1）WCFFのR32濃度に対するR125不燃限界濃度(重量%)＝WCFFのR32(量%)×37/63
（2）余剰R125濃度（重量%）=WCFFのR125濃度(重量%)−（1）
（3）WCFFのR134aに対する不燃限界1234yf濃度(重量%)=WCFF組成の134a濃度(重量%)×62/38
（4）（WCFFの1234yf濃度-（3））の1234yf濃度に対するR125不燃限界濃度=（WCFFの1234濃度-（3））×21/79
ここで、（2）-（4）＞0になった組成を計算上のASHRAE不燃限界とした。
【００５５】
【表２−４】
0006384563.tif 000006
【００５６】
上記が算出WCFFが変化点であることは、R134a=15.8、15.9、16.0重量%とし、液相側からのWCFF組成をREFPROP9.0により求めた。その結果を表2-5に示す。また、求めたWCFF組成が不燃限界組成になっているかどうかは、以下の手順で調べた。
（1）WCFFのR32濃度に対するR125不燃限界濃度(重量%)＝WCFFのR32(量%)×37/63
（2）余剰R125濃度（重量%）=WCFFのR125濃度(重量%)−（1）
（3）WCFFのR134aに対する不燃限界1234yf濃度(重量%)=WCFF組成の134a濃度(重量%)×62/38
（4）（WCFFの1234yf濃度-（3））の1234yf濃度に対するR125不燃限界濃度=（WCFFの1234濃度-（3））×21/79
ここで、（2）-（4）＞0になった組成を計算上のASHRAE不燃限界とした。
【００５７】
【表２−５】
0006384563.tif 000007
【００５８】
以上からWCFFは、R134a≧16.0重量%ではWCFFは気相リーク初期、R134a≦15.8重量%では液相95%リーク時となり、R134a=15.9重量%がWCFF組成の変化点になっている。
【００５９】
5)R32=22.6、R125=30.0%におけるASHRAE不燃限界
1234yf+R134a=47.4重量%としASHRAE不燃限界に近い混合組成におけるWCFF組成をREFPROP9.0により求めた。その結果を表2-6に示す。WCFFはR134a≦15.8重量%なので液相95%リーク時となり、また、求めたWCFF組成が不燃限界組成になっているかどうかは、以下の手順で調べた。
（1）WCFFのR32濃度に対するR125不燃限界濃度(重量%)＝WCFFのR32(量%)×37/63
（2）余剰R125濃度（重量%）=WCFFのR125濃度(重量%)−（1）
（3）WCFFのR134aに対する不燃限界1234yf濃度(重量%)=WCFF組成の134a濃度(重量%)×62/38
（4）（WCFFの1234yf濃度-（3））の1234yf濃度に対するR125不燃限界濃度=（WCFFの1234濃度-（3））×21/79
ここで、（2）-（4）＞0になった組成を計算上のASHRAE不燃限界とした。
【００６０】
【表２−６】
0006384563.tif 000008
【００６１】
6)GWP=1500におけるASHRAE不燃限界
GWPが1500となる（22.6/39.2/30.2/8.0）（R32の濃度(重量%)/R125の濃度(重量%)/1234yfの濃度(重量%)/R134aの濃度(重量%)）の組成のWCFF組成、及び、ASHRAE不燃限界に近い混合組成におけるWCFF組成をREFPROP9.0により求めた。その結果を表２−７に示す。また、求めたWCFF組成が不燃限界組成になっているかどうかは、以下の手順で調べた。
（1）WCFFのR32濃度に対するR125不燃限界濃度(重量%)＝WCFFのR32(量%)×37/63
（2）余剰R125濃度（重量%）=WCFFのR125濃度(重量%)−（1）
（3）WCFFのR134aに対する不燃限界1234yf濃度(重量%)=WCFF組成の134a濃度(重量%)×62/38
（4）（WCFFの1234yf濃度-（3））の1234yf濃度に対するR125不燃限界濃度=（WCFFの1234濃度-（3））×21/79
ここで、（2）-（4）＞0になった組成を計算上のASHRAE不燃限界とした。
【００６２】
【表２−７】
0006384563.tif 000009
【００６３】
以上の計算上のASHRAE不燃限界組成を調べた結果を3成分組成図に示し、それらの点を結ぶ回帰線を求めた結果が、図1の点G、Hを結ぶ直線及び点H、Iを結ぶ直線である。
【００６４】
実験例2（実験例1で得られた計算上の不燃限界の燃焼試験による検証）
組成(R32/R125/1234yf/R134a)=(22.6/10.9/16.5/50.0)のWCFF組成(41.7/16.2/14.4/27.7)、及び、
組成(R32/R125/1234yf/R134a)=(22.6/39.2/30.2/8.0)のWCFF組成（0.4/5.3/65.6/28.7）
を代表例として、実験例1で示したASTM E681に従って燃焼試験を行ったところ、これらのWCFF組成では、火炎伝播は認められなかった。
【００６５】
従って、実験例1で求めた2元組成物の不燃限界に基づき、実験例1で計算により求めたASHRAE不燃限界は、ANSI/ASHRAE Standard34-2013に基づいたASHRAE不燃の要件を満たしている。
【００６６】
また、図1（R32=22.6%の三角図）で示したようにASHRAE不燃限界は、1234yf=0重量%（前記1)の方法で求めた点、図1では点I）とR32=30%、R134a=10.3%（算出WCFF変化点）（前記4)の方法で求めた点、図1では点H）とを結ぶ直線（直線HI）及び前記点Hと、AR5に基づいたGWP=1500（前記6)の方法で求めた点、図1では点G）とを結ぶ直線（直線GH）でGWPが1500以下でのASHRAE不燃限界が示される。
【００６７】
以後、本明細書におけるASHRAE不燃限界は、実験例1で求めた2元組成物の不燃限界に基づいて前記1)と4)と6)の方法により求めた回帰線（直線HI及び直線GH）により示す。表2-8には、R32濃度=8.8、12.7、14.1、16.1、18.1、19.2、20.0、21.2、22.6、24.2、25.4、26.5、27.3重量%における点Gと点Hと点IのR32濃度、R125濃度、1234yf濃度、R134a濃度を示す。
【００６８】
【表２−８】
0006384563.tif 000010
【００６９】
上記により計算で求めたASHRAE不燃限界は、それぞれの冷媒の製造時の純度や混合時の誤差などを考慮するとさらに安全率を見込むことが好ましい。ASHRAE不燃限界線GHについては、不燃性冷媒R134aは、R134aと1234yfとの不燃限界混合比をもとに1234yf濃度を1.63重量%（63/37）減少させることでR134a換算では1重量%（製造時の許容濃度として±1重量％見込むことが多いため）高くなるように平行移動した線分G’H’を安全率を見込んだものとした。また、ASHRAE不燃限界線HIについては、不燃性冷媒R125は、R125と1234yfとの不燃限界混合比をもとに1234yf濃度を3.76重量%（79/21）減少させることでR125換算では1重量%（製造時の許容濃度として±1重量％見込むことが多いため）高くなるように平行移動した線分H’I’を安全率を見込んだものとした。
【００７０】
この安全率を見込んだASHRAE不燃線G’H’I’は、例えばR32=22.6重量%では、R125=y重量%、1234yf=z重量%、R134a=w重量%とした場合、線分GHは、y+z+w=100重量%ととした三角図上ではz=1.15w+43.484で表されるので、43.484から1.63を引き、線分G’H’はz=1.15w+41.854とし、線分ADとの交点をG’とした。線分HIは、z=2.0309y+17.116で表されるので、17.116から3.76を引き、線分H’I’はz=2.0309y+13.356とし、線分DIとの交点をI’とした。また、H’は、G’H’の線分の式z=1.15w+41.854とH’I’の線分の式z=2.0309y+13.356の交点として求めた。
【００７１】
このようにして安全率を見込んだASHRAE不燃点G’H’I’を表2-9に示す。
【００７２】
【表２−９】
0006384563.tif 000011
【００７３】
前記混合物に含まれるR32、R125、1234yf及びR134aの組成比は、R32の濃度条件による制限の下、R125、1234yf及びR134aの3成分組成図上の点で表すことができる。
【００７４】
すなわち、R32の濃度をx重量%とすると、R125、1234yf及びR134aの濃度の和は、（100-x）重量%となり、前記混合物に含まれるR32、R125、1234yf及びR134aの組成比は、R125、1234yf及びR134a の濃度の総和を（100-x）とする3成分組成図上の座標点として表すことができる。以下に具体的な座標点の求め方を示す。
【００７５】
以下では、ｘの範囲で場合分けをし、点A、B、C、D、E、F、B’、C’、E’、F’、G、H、I、G’、H’、I’、L、M、N、O、P、Q、R、S、T、V、W、X、Y、Z及びαの各点の意味は次の通りであり、各点の濃度は後記の実施例1で求め、その値を示している。なお、本明細書及び図面において、点J、K及びUは存在しない。
A：GWP=1500であってR134aの濃度（重量%）が0重量%の組成比
D：GWP=1500であって1234yfの濃度（重量%）が0重量%の組成比
G： GWP=1500であってASHRAE不燃限界を示す組成比
（WCFFがStorage/Shipping conditions  95%リーク後の液相組成になる場合）
H：ASHRAE不燃限界を示す組成比
（WCFFがStorage/Shipping conditions  95%リーク後の液相組成、及び、0%リーク時の気相組成になる場合）
I：ASHRAE不燃限界であって1234yfの濃度（重量%）が0重量%の組成比
（WCFFはStorage/Shipping conditions  0%リーク時の気相組成）
G’:ASHRAE不燃限界を示す線分GHに対して、不燃の安全率を見込むために
不燃冷媒R134aを＋１重量%上乗せした線分とGWP=1500の線分との交点を示す組成比
H’:ASHRAE不燃限界を示す線分GHに対して、不燃冷媒R134aを＋１重量%上乗せした線分と不燃冷媒R125を＋１重量%上乗せした線分
I’:ASHRAE不燃限界を示す線分HIに対して、不燃の安全率を見込むために
不燃冷媒R125を＋１重量%上乗せした線分であって1234yfの濃度（重量%）が0重量%の組成比
B：線分G’H’I’上にあって圧縮機出口圧力がR22圧力の102.5%になる組成比
C：GWP=1500であって圧縮機出口圧力がR22圧力の102.5%になる組成比
E：線分G’H’I’上にあって圧縮機出口圧力がR22圧力の97.5%になる組成比
F： GWP=1500であって圧縮機出口圧力がR22圧力の97.5%になる組成比
B’:線分G’H’I’上にあって圧縮機出口圧力がR22圧力の101.25%になる組成比
C’：GWP=1500であって圧縮機出口圧力がR22圧力の101.25%になる組成比
E’：線分G’H’I’上にあって圧縮機出口圧力がR22圧力の98.75%になる組成比
F’： GWP=1500であって圧縮機出口圧力がR22圧力の98.75%になる組成比
L：線分G’H’I’上にあって対R404A冷凍能力が90%になる組成比
M：GWP=1500であって対R404A冷凍能力が90%になる組成比
O：線分G’H’I’上にあって対R404A冷凍能力が95%になる組成比
P：GWP=1500であって対R404A冷凍能力が95%になる組成比
Q：線分G’H’I’上にあって圧縮機出口温度が115℃になる組成比
R：GWP=1500であって圧縮機出口温度が115℃になる組成比
S：線分G’H’I’上にあってCOPが対R404Aの107.75%となる組成比
T：GWP=1500であってCOPが対R404Aの107.75%となる組成比
V：線分STと線分LMとの交点
W：線分STと線分OPとの交点
X：線分QRと線分JKとの交点
Y：線分ORと線分LMとの交点
Z：線分QRと線分OPとの交点
α：線分STと線分QRとの交点
N：R125=0、R134a=0となる点（0/0/100-x）
【００７６】
（1）点A、D、G、H、I、G’、H’、I’の求め方
（１−１）点Aについて
14.1重量%≧x≧8.8重量%
x=R32の濃度が8.8重量%とき、R125、1234yf及び134aの濃度の総和を（100-x）重量%とする3成分組成図上の点Aは、
（R125の濃度（重量%）／1234yfの濃度（重量%）／134aの濃度（重量%））=（45.4/45.8/0）であり、
R32の濃度が12.7重量%のとき、R125、1234yf及び134aの濃度の総和を（100-x）重量%とする3成分組成図上の点Aは、
（R125の濃度（重量%）／1234yfの濃度（重量%）／134aの濃度（重量%））=（44.6/42.7/0）であり、
R32の濃度が14.1重量%のとき、R125、1234yf及び134aの濃度の総和を（100-x）重量%とする3成分組成図上の点Aは、
（R125の濃度（重量%）／1234yfの濃度（重量%）／134aの濃度（重量%））=（44.3/41.6/0）であることから、R32、R125、1234yf及び134aの濃度の総和を100重量%としたときの、R125の濃度をy重量%とすると、xy座標にプロットした上記の3点から求められる回帰直線の式は、
y=0.0577x2-4.1895x+61.098
で表される。また、点AのR134a濃度は0重量%なので、点Aの1234yf濃度は（100-R32濃度（重量%）-R125の濃度（重量%）で表される。
【００７７】
以上より、R125、1234yf及びR134a の濃度の総和を（100-x）とする3成分組成図上の点A（R125の濃度（重量%）／1234yfの濃度（重量%）／134aの濃度（重量%））は、(0.0577x2-4.1895x+61.098/100-R32濃度-R125の濃度/0)で表される。
【００７８】
18.1重量%≧x≧14.1重量%、20.0重量%≧x≧18.1重量%、22.6重量%≧x≧20.0重量%、25.4重量%≧x≧22.6重量%、及び、27.3重量%≧x≧25.4重量%の範囲について同様に計算し、表３−１に各濃度範囲ごとのR32=x重量%としたときのxの近似式で示される（R125の濃度（重量%）／1234yfの濃度（重量%）／134aの濃度（重量%））を示す。
【００７９】
【表３−１】
0006384563.tif 000012
【００８０】
（１−２）点Dについて
点Dについても、14.1重量%≧x≧8.8重量%、18.1重量%≧x≧14.1重量%、20.0重量%≧x≧18.1重量%、22.6重量%≧x≧20.0重量%、25.4重量%≧x≧22.6重量%、及び、27.3重量%≧x≧25.4重量%の範囲について点Aと同様に計算し、表３−２に各濃度範囲ごとのR32=x重量%としたときのxの近似式で示される（R125の濃度（重量%）／1234yfの濃度（重量%）／134aの濃度（重量%））を示す。
【００８１】
【表３−２】
0006384563.tif 000013
【００８２】
（１−３）点Gについて
点Gについても、14.1重量%≧x≧8.8重量%、18.1重量%≧x≧14.1重量%、20.0重量%≧x≧18.1重量%、22.6重量%≧x≧20.0重量%、25.4重量%≧x≧22.6重量%、及び、27.3重量%≧x≧25.4重量%の範囲について点Aと同様に計算し、表３−３に各濃度範囲ごとのR32=x重量%としたときのxの近似式で示される（R125の濃度（重量%）／1234yfの濃度（重量%）／134aの濃度（重量%））を示す。
【００８３】
【表３−３】
0006384563.tif 000014
【００８４】
（１−４）点Hについて
点Hについても、14.1重量%≧x≧8.8重量%、18.1重量%≧x≧14.1重量%、20.0重量%≧x≧18.1重量%、22.6重量%≧x≧20.0重量%、25.4重量%≧x≧22.6重量%、及び、27.3重量%≧x≧25.4重量%の範囲について点Aと同様に計算し、表３−４に各濃度範囲ごとのR32=x重量%としたときのxの近似式で示される（R125の濃度（重量%）／1234yfの濃度（重量%）／134aの濃度（重量%））を示す。
【００８５】
【表３−４】
0006384563.tif 000015
【００８６】
（１−５）点Iについて
点Iについても、14.1重量%≧x≧8.8重量%、18.1重量%≧x≧14.1重量%、20.0重量%≧x≧18.1重量%、22.6重量%≧x≧20.0重量%、25.4重量%≧x≧22.6重量%、及び、27.3重量%≧x≧25.4重量%の範囲について点Aと同様に計算し、表３−５に各濃度範囲ごとのR32=x重量%としたときのxの近似式で示される（R125の濃度（重量%）／1234yfの濃度（重量%）／134aの濃度（重量%））を示す。
【００８７】
【表３−５】
0006384563.tif 000016
【００８８】
（１−６）点G’について
点G’についても、14.1重量%≧x≧8.8重量%、18.1重量%≧x≧14.1重量%、20.0重量%≧x≧18.1重量%、22.6重量%≧x≧20.0重量%、25.4重量%≧x≧22.6重量%、及び、27.3重量%≧x≧25.4重量%の範囲について点Aと同様に計算し、表３−６に各濃度範囲ごとのR32=x重量%としたときのxの近似式で示される（R125の濃度（重量%）／1234yfの濃度（重量%）／134aの濃度（重量%））を示す。
【００８９】
【表３−６】
0006384563.tif 000017
【００９０】
（１−７）点H’について
点H’についても、14.1重量%≧x≧8.8重量%、18.1重量%≧x≧14.1重量%、20.0重量%≧x≧18.1重量%、22.6重量%≧x≧20.0重量%、25.4重量%≧x≧22.6重量%、及び、27.3重量%≧x≧25.4重量%の範囲について点Aと同様に計算し、表３−７に各濃度範囲ごとのR32=x重量%としたときのxの近似式で示される（R125の濃度（重量%）／1234yfの濃度（重量%）／134aの濃度（重量%））を示す。
【００９１】
【表３−７】
0006384563.tif 000018
【００９２】
（１−８）点I’について
点I’についても、14.1重量%≧x≧8.8重量%、18.1重量%≧x≧14.1重量%、20.0重量%≧x≧18.1重量%、22.6重量%≧x≧20.0重量%、25.4重量%≧x≧22.6重量%、及び、27.3重量%≧x≧25.4重量%の範囲について点Aと同様に計算し、表３−７に各濃度範囲ごとのR32=x重量%としたときのxの近似式で示される（R125の濃度（重量%）／1234yfの濃度（重量%）／134aの濃度（重量%））を示す。
【００９３】
【表３−８】
0006384563.tif 000019
【００９４】
（2）点B、C、E、F、B’、C’E’、F’の求め方
（２−１）点Bについて
点Bについても、14.1重量%≧x≧8.8重量%、16.8重量%≧x≧14.1重量%、18.8重量%≧x≧16.8重量%、22.5重量%≧x≧18.8重量%、27.3重量%≧x≧22.5重量%の範囲について点Aと同様に計算し、表３−９に各濃度範囲ごとのR32=x重量%としたときのxの近似式で示される（R125の濃度（重量%）／1234yfの濃度（重量%）／134aの濃度（重量%））を示す。
【００９５】
【表３−９】
0006384563.tif 000020
【００９６】
（２−２）点Cについて
点Cについても、14.1重量%≧x≧8.8重量%、16.8重量%≧x≧14.1重量%、18.8重量%≧x≧16.8重量%、22.5重量%≧x≧18.8重量%、27.3重量%≧x≧22.5重量%の範囲について点Aと同様に計算し、表３−１０に各濃度範囲ごとのR32=x重量%としたときのxの近似式で示される（R125の濃度（重量%）／1234yfの濃度（重量%）／134aの濃度（重量%））を示す。
【００９７】
【表３−１０】
0006384563.tif 000021
【００９８】
（２−３）点Eについて
点Eについても、14.1重量%≧x≧8.8重量%、16.8重量%≧x≧14.1重量%、18.8重量%≧x≧16.8重量%、22.5重量%≧x≧18.8重量%、27.3重量%≧x≧22.5重量%の範囲について点Aと同様に計算し、表３−１１に各濃度範囲ごとのR32=x重量%としたときのxの近似式で示される（R125の濃度（重量%）／1234yfの濃度（重量%）／134aの濃度（重量%））を示す。
【００９９】
【表３−１１】
0006384563.tif 000022
【０１００】
（２−４）点Fについて
点Fについても、14.1重量%≧x≧8.8重量%、16.8重量%≧x≧14.1重量%、18.8重量%≧x≧16.8重量%、22.5重量%≧x≧18.8重量%、27.3重量%≧x≧22.5重量%の範囲について点Aと同様に計算し、表３−１２に各濃度範囲ごとのR32=x重量%としたときのxの近似式で示される（R125の濃度（重量%）／1234yfの濃度（重量%）／134aの濃度（重量%））を示す。
【０１０１】
【表３−１２】
0006384563.tif 000023
【０１０２】
（２−５）点B’について
点B’についても、14.1重量%≧x≧8.8重量%、16.8重量%≧x≧14.1重量%、18.8重量%≧x≧16.8重量%、22.5重量%≧x≧18.8重量%、27.3重量%≧x≧22.5重量%の範囲について点Aと同様に計算し、表３−１３に各濃度範囲ごとのR32=x重量%としたときのxの近似式で示される（R125の濃度（重量%）／1234yfの濃度（重量%）／134aの濃度（重量%））を示す。
【０１０３】
【表３−１３】
0006384563.tif 000024
【０１０４】
（２−６）点C’について
点C’についても、14.1重量%≧x≧8.8重量%、16.8重量%≧x≧14.1重量%、18.8重量%≧x≧16.8重量%、22.5重量%≧x≧18.8重量%、27.3重量%≧x≧22.5重量%の範囲について点Aと同様に計算し、表３−１４に各濃度範囲ごとのR32=x重量%としたときのxの近似式で示される（R125の濃度（重量%）／1234yfの濃度（重量%）／134aの濃度（重量%））を示す。
【０１０５】
【表３−１４】
0006384563.tif 000025
【０１０６】
（２−７）点E’について
点E’についても、14.1重量%≧x≧8.8重量%、16.8重量%≧x≧14.1重量%、18.8重量%≧x≧16.8重量%、22.5重量%≧x≧18.8重量%、27.3重量%≧x≧22.5重量%の範囲について点Aと同様に計算し、表３−１５に各濃度範囲ごとのR32=x重量%としたときのxの近似式で示される（R125の濃度（重量%）／1234yfの濃度（重量%）／134aの濃度（重量%））を示す。
【０１０７】
【表３−１５】
0006384563.tif 000026
【０１０８】
（２−８）点F’について
点F’についても、14.1重量%≧x≧8.8重量%、16.8重量%≧x≧14.1重量%、18.8重量%≧x≧16.8重量%、22.5重量%≧x≧18.8重量%、27.3重量%≧x≧22.5重量%の範囲について点Aと同様に計算し、表３−１６に各濃度範囲ごとのR32=x重量%としたときのxの近似式で示される（R125の濃度（重量%）／1234yfの濃度（重量%）／134aの濃度（重量%））を示す。
【０１０９】
【表３−１６】
0006384563.tif 000027
【０１１０】
（3）点L、M、O、P、Q、R、S、Tの求め方
（３−１）点Lについて
点Lについても、16.6重量%≧x≧12.7重量%、18.7重量%≧x≧16.6重量%、18.7重量%≧x≧20.8重量%の範囲について点Aと同様に計算し、表３−１７に各濃度範囲ごとのR32=x重量%としたときのxの近似式で示される（R125の濃度（重量%）／1234yfの濃度（重量%）／134aの濃度（重量%））を示す。
【０１１１】
【表３−１７】
0006384563.tif 000028
【０１１２】
（３−２）点Mについて
点Kについても、16.6重量%≧x≧12.7重量%、18.7重量%≧x≧16.6重量%、18.7重量%≧x≧20.8重量%の範囲について点Aと同様に計算し、表３−１８に各濃度範囲ごとのR32=x重量%としたときのxの近似式で示される（R125の濃度（重量%）／1234yfの濃度（重量%）／134aの濃度（重量%））を示す。
【０１１３】
【表３−１８】
0006384563.tif 000029
【０１１４】
（３−３）点Oについて
点Oについても、19.6重量%≧x≧15.9量%、21.2重量%≧x≧19.6重量%、22.6重量%≧x≧21.2重量%、27.3重量%≧x≧22.6重量%の範囲について点Aと同様に計算し、表３−１９に各濃度範囲ごとのR32=x重量%としたときのxの近似式で示される（R125の濃度（重量%）／1234yfの濃度（重量%）／134aの濃度（重量%））を示す。
【０１１５】
【表３−１９】
0006384563.tif 000030
【０１１６】
（３−４）点Pについて
点Pについても、19.6重量%≧x≧15.9量%、21.2重量%≧x≧19.6重量%、22.6重量%≧x≧21.2重量%、27.3重量%≧x≧22.6重量%の範囲について点Aと同様に計算し、表３−２０に各濃度範囲ごとのR32=x重量%としたときのxの近似式で示される（R125の濃度（重量%）／1234yfの濃度（重量%）／134aの濃度（重量%））を示す。
【０１１７】
【表３−２０】
0006384563.tif 000031
【０１１８】
（３−５）点Qについて
点Qについても、18.6重量%≧x≧12.7重量%、20.4重量%≧x≧18.6重量%、21.8重量%≧x≧20.4重量%、25.6重量%≧x≧21.8重量%及び、27.3重量%≧x≧25.6重量%の範囲について点Aと同様に計算し、表３−２１に各濃度範囲ごとのR32=x重量%としたときのxの近似式で示される（R125の濃度（重量%）／1234yfの濃度（重量%）／134aの濃度（重量%））を示す。
【０１１９】
【表３−２１】
0006384563.tif 000032
【０１２０】
（３−６）点Rについて
点Rについても、18.6重量%≧x≧12.7重量%、20.4重量%≧x≧18.6重量%、21.8重量%≧x≧20.4重量%、25.6重量%≧x≧21.8重量%及び、27.3重量%≧x≧25.6重量%の範囲について点Aと同様に計算し、表３−２２に各濃度範囲ごとのR32=x重量%としたときのxの近似式で示される（R125の濃度（重量%）／1234yfの濃度（重量%）／134aの濃度（重量%））を示す。
【０１２１】
【表３−２２】
0006384563.tif 000033
【０１２２】
（３−７）点Sについて
点Sについても、18.1重量%≧x≧12.7重量%、20.8重量%≧x≧18.1重量%、23.2重量%≧x≧20.8重量%、27.3重量%≧x≧23.2重量%及び、25.4重量%≧x≧23.2重量%の範囲について点Aと同様に計算し、表３−２３に各濃度範囲ごとのR32=x重量%としたときのxの近似式で示される（R125の濃度（重量%）／1234yfの濃度（重量%）／134aの濃度（重量%））を示す。
【０１２３】
【表３−２３】
0006384563.tif 000034
【０１２４】
（３−８）点Tについて
点Tについても、18.1重量%≧x≧12.7重量%、20.8重量%≧x≧18.1重量%、23.2重量%≧x≧20.8重量%、27.3重量%≧x≧23.2重量%及び、25.4重量%≧x≧23.2重量%の範囲について点Aと同様に計算し、表３−２４に各濃度範囲ごとのR32=x重量%としたときのxの近似式で示される（R125の濃度（重量%）／1234yfの濃度（重量%）／134aの濃度（重量%））を示す。
【０１２５】
【表３−２４】
0006384563.tif 000035
【０１２６】
（4）交点V、W、X、Y、Z、αの求め方
（４−１）線分LMと線分STとの交点Vについて
x=R32=17.5重量%のとき、y=R125の濃度（重量%）、z=R134aの濃度(重量%)とした場合、線分JKは表３−２５に示すようにz=-3.8364y+132.36、線分STはz=-2.0632y+86.283で示され、線分JKと線分STの交点であるVはこれらの式を解くことで表３−２５に示すように（R125の濃度（重量%）／1234yfの濃度（重量%）／134aの濃度（重量%））=(26.0/32.7/23.8)となる。また、18.1重量%≧x≧16.6重量%の範囲における交点Vの近似式は点Aと同様に計算し、R32=x重量%としたときのxの近似式で示される交点V（R125の濃度（重量%）／1234yfの濃度（重量%）／134aの濃度（重量%））を表３−２５に示す。
【０１２７】
【表３−２５】
0006384563.tif 000036
【０１２８】
（４−２）線分OPと線分STとの交点Wについて
x=R32=20.4重量%のときの交点Vは、表３−２６に示す線分の式から交点Vと同様に計算して求めた。また、20.8重量%≧x≧19.6重量%の範囲における交点Wの近似式は点Aと同様に計算し、R32=x重量%としたときのxの近似式で示される交点W（R125の濃度（重量%）／1234yfの濃度（重量%）／134aの濃度（重量%））を表３−２６に示す。
【０１２９】
【表３−２６】
0006384563.tif 000037
【０１３０】
（４−３）線分LMと線分QRとの交点Xについて
x=R32=19.6重量%のときの交点Wは、表３−２７に示す線分の式から交点Vと同様に計算して求めた。また、20.8重量%≧x≧18.6重量%の範囲における交点Xの近似式は点Aと同様に計算し、R32=x重量%としたときのxの近似式で示される交点X（R125の濃度（重量%）／1234yfの濃度（重量%）／134aの濃度（重量%））を表３−２７に示す。
【０１３１】
【表３−２７】
0006384563.tif 000038
【０１３２】
（４−４）線分OPと線分QRとの交点Yについて
x=R32=21.8重量%のときの交点Xは、表３−２８に示す線分の式から交点Vと同様に計算して求めた。また、22.6重量%≧x≧20.4重量%の範囲における交点Yの近似式は点Aと同様に計算し、R32=x重量%としたときのxの近似式で示される交点Y（R125の濃度（重量%）／1234yfの濃度（重量%）／134aの濃度（重量%））を表３−２８に示す。
【０１３３】
【表３−２８】
0006384563.tif 000039
【０１３４】
（４−５）線分OPと線分QRとの交点Zについて
x=R32=21.8重量%のときの交点Yは、表３−２９に示す線分の式から交点Vと同様に計算して求めた。また、22.6重量%≧x≧20.4重量%の範囲における交点Zの近似式は点Aと同様に計算し、R32=x重量%としたときのxの近似式で示される交点α（R125の濃度（重量%）／1234yfの濃度（重量%）／134aの濃度（重量%））を表３−２９に示す。
【０１３５】
【表３−２９】
0006384563.tif 000040
【０１３６】
（４−６）線分STと線分QRとの交点αについて
x=R32=23.2重量%のときの交点Yは、表３−３０に示す線分の式から交点Vと同様に計算して求めた。また、25.4重量%≧x≧21.8重量%の範囲における交点αの近似式は点Aと同様に計算し、R32=x重量%としたときのxの近似式で示される交点α（R125の濃度（重量%）／1234yfの濃度（重量%）／134aの濃度（重量%））を表３−３０に示す。
【０１３７】
【表３−３０】
0006384563.tif 000041
【０１３８】
本発明の第一の形態の組成物に含有される混合物（各混合物のうち少なくとも一種）は、基本４成分（R32、R125、R134a及び1234yf）に加えて、他の成分として水を含有することができる。
【０１３９】
混合物に含まれる水の濃度は、混合物の中の1234yf含有量に対して200重量ppm以下が好ましい。混合物の中の1234yf含有量に対する水濃度の下限値は特に限定されず、組成物の安定性が向上する効果が発揮される限り限定はされないが、例えば、0.1重量ppmとすることができる。
【０１４０】
混合物に水が含まれることにより、該混合物を含有する組成物の化学的安定性が高まるという予想外の効果を得ることができる。これは、該混合物が水を含むことで、組成物中に含まれる不飽和のフッ素化炭化水素類の分子内二重結合が安定に存在でき、また、不飽和のフッ素化炭化水素類の酸化も起こりにくくなるため、結果として組成物の安定性が向上するものと考えられる。
【０１４１】
本発明の第一の形態の組成物に含有される混合物は、基本４成分（R32、R125、R134a及び1234yf）に加えて、他の成分（基本４成分とは異なるフッ素化炭化水素）を含有することができる。他の成分としてのフッ素化炭化水素は特に限定されず、HCFC-1122、HCFC-124、CFC-1113及び3,3,3-トリフルオロプロピンからなる群より選択される少なくとも1種のフッ素化炭化水素が挙げられる。
【０１４２】
本発明の第一の形態の組成物に含有される混合物は、基本４成分（R32、R125、R134a及び1234yf）に加えて、他の成分として式（１）：CmHnXp[式中、Xはそれぞれ独立してフッ素原子、塩素原子又は臭素原子を表し、mは1又は2であり、2m+2≧n+pであり、p≧1である。]で表される少なくとも1種のハロゲン化有機化合物を含有することができる。なお、本発明では式（１）は、R134（すなわち、1,1,1,2-テトラフルオロエタン）は含まないものとする。他の成分としてのハロゲン化有機化合物は特に限定されず、例えば、ジフルオロクロロメタン、クロロメタン、2-クロロ-1,1,1,2,2-ペンタフルオロエタン、2-クロロ-1,1,1,2-テトラフルオロエタン、2-クロロ-1,1-ジフルオロエチレン、トリフルオロエチレン等の少なくとも一種が好ましい。
【０１４３】
本発明の第一の形態の組成物に含有される混合物は、基本４成分（R32、R125、R134a及び1234yf）に加えて、他の成分として式（２）：CmHnXp[式中、Xはそれぞれ独立してハロゲン原子ではない原子を表し、mは1又は2であり、2m+2≧n+pであり、p≧1である。]で表される少なくとも1種の有機化合物を含有することができる。他の成分としての有機化合物は式（２）を満たす限り特に限定されず、式（２）を満たす炭化水素が好ましく、例えば、プロパン、イソブタン等の少なくとも一種が好ましい。
【０１４４】
前述の通り、混合物が他の成分を含む場合には、混合物中の他の成分の含有量は、他の成分が単独又は２種以上で含まれるいずれの場合であっても合算量として0.5重量%以下が好ましく、0.3重量%以下がより好ましく、0.1重量%以下が特に好ましい。
【０１４５】
第二の形態〜第四の形態
本発明の第二の形態の組成物は、フッ素化炭化水素の混合物を含有する組成物であって、前記混合物が、HCFC-1122、HCFC-124、CFC-1113及び3,3,3-トリフルオロプロピンからなる群より選択される少なくとも1種のフッ素化炭化水素、R32、R125、R134a及び1234yfを含有する。つまり、基本４成分（R32、R125、R134a及び1234yf）に加えて、他の成分（基本４成分とは異なるフッ素化炭化水素）としてHCFC-1122、HCFC-124、CFC-1113及び3,3,3-トリフルオロプロピンからなる群より選択される少なくとも1種を含有する。
【０１４６】
また、本発明の第三の形態の組成物は、フッ素化炭化水素の混合物を含有する組成物であって、前記混合物が、式（１）：CmHnXp[式中、Xはそれぞれ独立してフッ素原子、塩素原子又は臭素原子を表し、mは1又は2であり、2m+2≧n+pであり、p≧1である。]で表される少なくとも1種のハロゲン化有機化合物、R32、R125、R134a及び1234yfを含有する。つまり、基本４成分（R32、R125、R134a及び1234yf）に加えて、他の成分として式（１）で表されるハロゲン化有機化合物を含有する。式（１）の説明は前述の通りである。
【０１４７】
さらに、本発明の第四の形態の組成物は、フッ素化炭化水素の混合物を含有する組成物であって、前記混合物が、式（２）：CmHnXp[式中、Xはそれぞれ独立してハロゲン原子ではない原子を表し、mは1又は2であり、2m+2≧n+pであり、p≧1である。]で表される少なくとも1種の有機化合物、R32、R125、R134a及び1234yfを含有する。つまり、基本４成分（R32、R125、R134a及び1234yf）に加えて、他の成分として式（２）で表される有機化合物を含有する。式（２）の説明は前述の通りである。
【０１４８】
本発明の第二〜第四の形態の組成物は、混合物中に含まれるR32、R125、R134a及び1234yfの組成比が特に限定されない点を除き、本発明の第一の形態の組成物と同様の組成物とすることができる。ここで、本発明の第二〜第四の形態の組成物において、混合物中の他の成分の含有量は第一の形態の場合と同様に、0.5重量%以下が好ましく、0.3重量%以下がより好ましく、0.1重量%以下が特に好ましい。
【０１４９】
第五の形態
本発明の第五の形態の組成物は、フッ素化炭化水素の混合物を含有する組成物であって、前記混合物が、ジフルオロメタン（R32）、ペンタフルオロエタン（R125）、1,1,1,2-テトラフルオロエタン（R134a）及び2,3,3,3-テトラフルオロプロペン（1234yf）及び水を含む。つまり、基本４成分（R32、R125、R134a及び1234yf）に加えて、他の成分として水を含有する。ここで、本発明の第五の形態の組成物において、混合物中の他の成分としての水の含有量は第一の形態の場合と同様に、0.5重量%以下が好ましく、0.3重量%以下がより好ましく、0.1重量%以下が特に好ましい。
【０１５０】
本発明の第五の形態の組成物に含有される混合物に含まれるR32、R125、R134a及び1234yfの組成比は特に限定されない。
【０１５１】
混合物に含まれる水の濃度は、混合物の中の1234yf含有量に対して200重量ppm以下が好ましい。混合物の中の1234yf含有量に対する水濃度の下限値は特に限定されず、組成物の安定性が向上する効果が発揮される限り限定はされないが、例えば、0.1重量ppmとすることができる。
【０１５２】
混合物に水が含まれることにより、該混合物を含有する組成物の化学的安定性が高まるという予想外の効果を得ることができる。これは、該混合物が水を含むことで、組成物中に含まれる不飽和のフッ素化炭化水素類の分子内二重結合が安定に存在でき、また、不飽和のフッ素化炭化水素類の酸化も起こりにくくなるため、結果として組成物の安定性が向上するものと考えられる。
【０１５３】
本発明の第五の形態の組成物は、混合物中に含まれるR32、R125、R134a及び1234yfの組成比は特に限定されない点を除き、本発明の第一の形態の組成物と同様の組成物とすることができる。
【０１５４】
任意の添加剤
本発明の第一〜第五の形態の組成物は、フッ素化炭化水素の混合物の他に、種々の添加剤を目的に応じて適宜含むことができる。
【０１５５】
本発明の組成物は、冷凍機油をさらに含むことができる。冷凍機油としては、特に限定されず、一般に用いられる冷凍機油の中から適宜選択することができる。その際には、必要に応じて、前記混合物との相溶性及び前記混合物の安定性等を向上する作用等の点でより優れている冷凍機油を適宜選択することができる。
【０１５６】
前記混合物の安定性の評価方法は、特に限定されず、一般的に用いられる手法で評価することができる。そのような手法の一例として、ASHRAE標準97-2007にしたがって遊離フッ素イオンの量を指標として評価する方法等が挙げられる。その他にも、全酸価（total acid number）を指標として評価する方法等も挙げられる。この方法は、例えば、ASTM D 974-06にしたがって行うことができる。
【０１５７】
冷凍機油の種類は、より具体的には、例えば、ポリアルキレングリコール（PAG）、ポリオールエステル（POE）及びポリビニルエーテル（PVE）からなる群より選択される少なくとも一種が好ましい。
【０１５８】
冷凍機油は、例えば、40℃における動粘度が5〜400 cStであるものを用いることができる。動粘度がこの範囲内にあると、潤滑の点で好ましい。
【０１５９】
冷凍機油の濃度は、特に限定されず、組成物全体に対して、通常、10〜50重量%であることができる。
【０１６０】
本発明の第一〜第五の形態の組成物は、一種以上のトレーサーをさらに含むことができる。トレーサーは、本発明の組成物が希釈、汚染、その他何らかの変更があった場合、その変更を追跡できるように検出可能な濃度で本発明組成物に添加される。トレーサーとしては、特に限定されず、ハイドロフルオロカーボン、重水素化炭化水素、重水素化ハイドロフルオロカーボン、パーフルオロカーボン、フルオロエーテル、臭素化化合物、ヨウ素化化合物、アルコール、アルデヒド、ケトン、亜酸化窒素（N2O）等が好ましく、ハイドロフルオロカーボン又はフルオロエーテルが特に好ましい。
【０１６１】
本発明の第一〜第五の形態の組成物は、相溶化剤をさらに含むことができる。相溶化剤としては、特に限定されず、ポリオキシアルキレングリコールエーテル、アミド、ニトリル、ケトン、クロロカーボン、エステル、ラクトン、アリールエーテル、フルオロエーテルおよび1,1,1-トリフルオロアルカン等が好ましく、ポリオキシアルキレングリコールエーテルが特に好ましい。
【０１６２】
本発明の第一〜第五の形態の組成物は、一種以上の紫外線蛍光染料をさらに含むことができる。紫外線蛍光染料としては、特に限定されず、ナフタルイミド、クマリン、アントラセン、フェナントレン、キサンテン、チオキサンテン、ナフトキサンテン及びフルオレセイン、並びにこれらの誘導体が好ましく、ナフタルイミド及びクマリンのいずれか又は両方が特に好ましい。
【０１６３】
本発明の第一〜第五の形態の組成物は、必要に応じて、安定剤、重合禁止剤等をさらに含むことができる。
【０１６４】
安定剤としては、特に限定されず、（ｉ）ニトロメタン、ニトロエタン等の脂肪族ニトロ化合物、ニトロベンゼン、ニトロスチレン等の芳香族ニトロ化合物、（ii）1,4-ジオキサン等のエーテル類、2,2,3,3,3-ペンタフルオロプロピルアミン、ジフェニルアミン等のアミン類、ブチルヒドロキシキシレン、ベンゾトリアゾール等が挙げられる。安定剤は、単独で又は2種以上を組み合わせであることができる。
【０１６５】
安定剤の濃度は、安定剤の種類により異なるが、組成物の性質に支障を与えない程度とすることができる。安定剤の濃度は前記混合物100重量部に対して、通常、0.01〜5重量部程度とすることが好ましく、0.05〜2重量部程度とすることがより好ましい。
【０１６６】
重合禁止剤としては、特に限定されず、例えば、4-メトキシ-1-ナフトール、ヒドロキノン、ヒドロキノンメチルエーテル、ジメチル-t-ブチルフェノール、2,6-ジ-tert-ブチル-p-クレゾール、ベンゾトリアゾール等が挙げられる。
【０１６７】
重合禁止剤の濃度は前記混合物100重量部に対して、通常、0.01〜5重量部とすることが好ましく、0.05〜2重量部程度とすることがより好ましい。
【０１６８】
本発明の第一〜第五の形態の組成物を用いて冷凍サイクルを運転する工程を含む冷凍方法により、対象物を冷凍することができる。例えば、前記組成物を、圧縮機を介して循環させることで前記冷凍サイクルを構成することができる。
【０１６９】
また、圧縮機を介して前記組成物を循環させる冷凍サイクルを構成する装置とすることもできる。かかる装置を用いた冷凍方法において、前記混合物に含まれるR32、R125、R134a及び1234yfの組成比が、上記の特定の組成比であることにより、例えば、圧縮機の吐出温度を115℃以下とすることができる。圧縮機の吐出温度をかかる範囲とすることによって、組成物が冷凍機油を含む場合には、冷凍機油の劣化を抑えることができる。
【０１７０】
本発明の第一〜第五の形態の組成物を使用できる冷凍機としては、例えば、冷蔵庫、冷凍庫、冷水機、製氷機、冷蔵ショーケース、冷凍ショーケース、冷凍冷蔵ユニット、冷凍冷蔵倉庫等に用いられる冷凍機、チラー（チリングユニット）、ターボ冷凍機、スクリュー冷凍機等があるが、これらに限定されない。
【実施例】
【０１７１】
以下に実施例及び比較例を挙げて本発明を具体的に説明する。但し、本発明は実施例に限定されない。
【０１７２】
実施例1-1〜3-100及び比較例1-1〜3-105
R404A、並びに、R32、R125、R134a及び1234yfの混合物を含有する組成物のGWPは、IPCC（Intergovernmental Panel on Climate Change）第4次報告書の値に基づいて評価した。また、R404A  並びにR32、R125、R134a及び1234yfの混合物を含有する組成物の冷凍能力は、National Institute of Science and Technology（NIST） Reference Fluid Thermodynamic and Transport Properties Database（Refprop  9.0）を使い、下記条件で混合冷媒の冷凍サイクル理論計算を実施することにより求めた。
蒸発温度     -40℃
凝縮温度      40℃
過熱温度      20K
過冷却温度    0K
圧縮機効率    70%
また、燃焼性はASHRAE可燃性分類に基づいて求めた。
【０１７３】
また、これらの結果をもとに算出したGWP、COP、圧縮機出口圧力、圧縮機出口温度、及び、冷凍能力を表4-1〜表6-16に示す。表５では、COP、冷凍能力、圧縮機出口圧力はR22に対する割合を示し、表６では、COP及び冷凍能力については、R404Aに対する割合を示す。
【０１７４】
成績係数（COP）は、次式により求めた。
COP =（冷凍能力又は暖房能力）／消費電力量
図15〜29及び33〜46において、符号以外の実施例の組成を○で示し、符号以外の比較例の組成を△で示す。
【０１７５】
【表４−１】
0006384563.tif 000042
【０１７６】
【表４−２】
0006384563.tif 000043
【０１７７】
【表４−３】
0006384563.tif 000044
【０１７８】
【表４−４】
0006384563.tif 000045
【０１７９】
【表４−５】
0006384563.tif 000046
【０１８０】
【表４−６】
0006384563.tif 000047
【０１８１】
【表４−７】
0006384563.tif 000048
【０１８２】
【表４−８】
0006384563.tif 000049
【０１８３】
【表４−９】
0006384563.tif 000050
【０１８４】
【表４−１０】
0006384563.tif 000051
【０１８５】
【表４−１１】
0006384563.tif 000052
【０１８６】
【表４−１２】
0006384563.tif 000053
【０１８７】
【表４−１３】
0006384563.tif 000054
【０１８８】
【表５−１】
0006384563.tif 000055
【０１８９】
【表５−２】
0006384563.tif 000056
【０１９０】
【表５−３】
0006384563.tif 000057
【０１９１】
【表５−４】
0006384563.tif 000058
【０１９２】
【表５−５】
0006384563.tif 000059
【０１９３】
【表５−６】
0006384563.tif 000060
【０１９４】
【表５−７】
0006384563.tif 000061
【０１９５】
【表５−８】
0006384563.tif 000062
【０１９６】
【表５−９】
0006384563.tif 000063
【０１９７】
【表５−１０】
0006384563.tif 000064
【０１９８】
【表５−１１】
0006384563.tif 000065
【０１９９】
【表５−１２】
0006384563.tif 000066
【０２００】
【表５−１３】
0006384563.tif 000067
【０２０１】
【表５−１４】
0006384563.tif 000068
【０２０２】
【表５−１５】
0006384563.tif 000069
【０２０３】
【表５−１６】
0006384563.tif 000070
【０２０４】
【表５−１７】
0006384563.tif 000071
【０２０５】
【表６−１】
0006384563.tif 000072
【０２０６】
【表６−２】
0006384563.tif 000073
【０２０７】
【表６−３】
0006384563.tif 000074
【０２０８】
【表６−４】
0006384563.tif 000075
【０２０９】
【表６−５】
0006384563.tif 000076
【０２１０】
【表６−６】
0006384563.tif 000077
【０２１１】
【表６−７】
0006384563.tif 000078
【０２１２】
【表６−８】
0006384563.tif 000079
【０２１３】
【表６−９】
0006384563.tif 000080
【０２１４】
【表６−１０】
0006384563.tif 000081
【０２１５】
【表６−１１】
0006384563.tif 000082
【０２１６】
【表６−１２】
0006384563.tif 000083
【０２１７】
【表６−１３】
0006384563.tif 000084
【０２１８】
【表６−１４】
0006384563.tif 000085
【０２１９】
【表６−１５】
0006384563.tif 000086
【０２２０】
【表６−１６】
0006384563.tif 000087
【０２２１】
実施例3-78及び比較例3-69
実施例3-78及び比較例3-69について、ASHRAE34-2013に従って燃焼性の検証を行った。
【０２２２】
WCFFを求めるために、REFPROP9.0を用いて、下記9ケースの
・Storage/Shipping  Condition
漏洩温度：（1）沸点+10℃（-40℃より沸点+10℃の方が高いので）、（2）23℃、（3）54.4℃ 
・Equipment  Condition
漏洩温度：（4）沸点+10℃（-40℃より沸点+10℃の方が高いので）、（5）23℃、（6）60℃ 
・Leak/Recharge Testing
漏洩温度：（7）23±3℃ 
漏洩計算を行った。
【０２２３】
その結果を表7に示す。いずれもStorage/Shipping  Conditionで、（1）沸点+10℃におけるボンベ充填時の気相がWCFFとなった。
【０２２４】
【表７】
0006384563.tif 000088
【０２２５】
実施例3-78及び比較例3-69に示したWCFFについて、ASTM E681(引火性濃度限界の標準試験法）に従って燃焼試験を行ったところ、実施例のWCFF組成では、火炎伝播は認められず、比較例のWCFF組成では火炎伝播が認められた。
【０２２６】
実施例はASHRAE不燃（クラス1）、比較例はASHRAE可燃（クラス2又はクラス3）に分類される結果であった。
【符号の説明】
【０２２７】
A：GWP=1500であってR134aの濃度（重量%）が0重量%の組成比
D：GWP=1500であって1234yfの濃度（重量%）が0重量%の組成比
G： GWP=1500であってASHRAE不燃限界を示す組成比
（WCFFがStorage/Shipping conditions  95%リーク後の液相組成になる場合）
H：ASHRAE不燃限界を示す組成比
（WCFFがStorage/Shipping conditions  95%リーク後の液相組成、及び、0%リーク時の気相組成になる場合）
I：ASHRAE不燃限界であって1234yfの濃度（重量%）が0重量%の組成比
（WCFFはStorage/Shipping conditions  0%リーク時の気相組成）
G’:ASHRAE不燃限界を示す線分GHに対して、不燃の安全率を見込むために不燃冷媒R134aを＋１重量%上乗せした線分とGWP=1500の線分との交点を示す組成比
H’:ASHRAE不燃限界を示す線分GHに対して、不燃冷媒R134aを＋１重量%上乗せした線分と不燃冷媒R125を＋１重量%上乗せした線分
I’:ASHRAE不燃限界を示す線分HIに対して、不燃の安全率を見込むために
不燃冷媒R125を＋１重量%上乗せした線分であって1234yfの濃度（重量%）が0重量%の組成比
B：線分G’H’I’上にあって圧縮機出口圧力がR22圧力の102.5%になる組成比
C：GWP=1500であって圧縮機出口圧力がR22圧力の102.5%になる組成比
E：線分G’H’I’上にあって圧縮機出口圧力がR22圧力の97.5%になる組成比
F： GWP=1500であって圧縮機出口圧力がR22圧力の97.5%になる組成比
B’：線分G’H’I’上にあって圧縮機出口圧力がR22圧力の101.25%になる組成比
C’：GWP=1500であって圧縮機出口圧力がR22圧力の101.25%になる組成比
E’：線分G’H’I’上にあって圧縮機出口圧力がR22圧力の98.75%になる組成比
F’： GWP=1500であって圧縮機出口圧力がR22圧力の98.75%になる組成比
L：線分G’H’I’上にあって対R404A冷凍能力が90%になる組成比
M：GWP=1500であって対R404A冷凍能力が90%になる組成比
O：線分G’H’I’上にあって対R404A冷凍能力が95%になる組成比
P：GWP=1500であって対R404A冷凍能力が95%になる組成比
Q：線分G’H’I’上にあって圧縮機出口温度が115℃になる組成比
R：GWP=1500であって圧縮機出口温度が115℃になる組成比
S：線分G’H’I’上にあってCOPが対R404Aの107.75%となる組成比
T：GWP=1500であってCOPが対R404Aの107.75%となる組成比
V：線分STと線分LMとの交点
W：線分STと線分OPとの交点
X：線分QRと線分JKとの交点
Y：線分ORと線分LMとの交点
Z：線分QRと線分OPとの交点
α：線分STと線分QRとの交点
N：R125=0、R134a=0となる点（0/0/100-x）
【図１】
0006384563.tif 000089
【図２】
0006384563.tif 000090
【図３】
0006384563.tif 000091
【図４】
0006384563.tif 000092
【図５】
0006384563.tif 000093
【図６】
0006384563.tif 000094
【図７】
0006384563.tif 000095
【図８】
0006384563.tif 000096
【図９】
0006384563.tif 000097
【図１０】
0006384563.tif 000098
【図１１】
0006384563.tif 000099
【図１２】
0006384563.tif 000100
【図１３】
0006384563.tif 000101
【図１４】
0006384563.tif 000102
【図１５】
0006384563.tif 000103
【図１６】
0006384563.tif 000104
【図１７】
0006384563.tif 000105
【図１８】
0006384563.tif 000106
【図１９】
0006384563.tif 000107
【図２０】
0006384563.tif 000108
【図２１】
0006384563.tif 000109
【図２２】
0006384563.tif 000110
【図２３】
0006384563.tif 000111
【図２４】
0006384563.tif 000112
【図２５】
0006384563.tif 000113
【図２６】
0006384563.tif 000114
【図２７】
0006384563.tif 000115
【図２８】
0006384563.tif 000116
【図２９】
0006384563.tif 000117
【図３０】
0006384563.tif 000118
【図３１】
0006384563.tif 000119
【図３２】
0006384563.tif 000120
【図３３】
0006384563.tif 000121
【図３４】
0006384563.tif 000122
【図３５】
0006384563.tif 000123
【図３６】
0006384563.tif 000124
【図３７】
0006384563.tif 000125
【図３８】
0006384563.tif 000126
【図３９】
0006384563.tif 000127
【図４０】
0006384563.tif 000128
【図４１】
0006384563.tif 000129
【図４２】
0006384563.tif 000130
【図４３】
0006384563.tif 000131
【図４４】
0006384563.tif 000132
【図４５】
0006384563.tif 000133
【図４６】
0006384563.tif 000134
【図４７】
0006384563.tif 000135